(57)【要約】【課題】ＰＳＴＮ用のファクシミリ（以下、ＦＡＸと記す）を接続し、一般電話通信サービスと高速データ通信サービスの双方の通信ができるモデム装置を提供する。【解決手段】外付けＰＳＴＮ　ＦＡＸ２からの発信を発信情報検出部２１で検出し、ＦＡＸ送信信号をＦＡＸ信号検出部２０で検出した場合、高速データ通信中にあれば、電子負荷切り換え装置２２で外付けＰＳＴＮ　ＦＡＸ２の接続を擬似的に保持した状態で、呼制御部１４が高速データ通信サービスを切断すると共に、回線切り換え制御部１６で一般電話通信サービスに切り換えて、メモリ部１９に保存した発信情報に基づいて発信動作をし、通信相手先と接続された際に、一般電話通信サービスにてＦＡＸデータを送信する。又は、通信相手先と高速データ通信サービスで接続し、通信情報符号化方式切り換え部１５で切り換えた低圧縮率の符号化方式による前記高速データ通信サービスにてＦＡＸデータを送信する。【選択図】　　　　図１
2004135031.tif 000002
【特許請求の範囲】
【請求項１】
公衆電話網ＰＳＴＮ（Ｐｕｂｌｉｃ　Ｓｗｉｔｃｈｅｄ　Ｔｅｌｅｐｈｏｎｅ　　Ｎｅｔｗｏｒｋ）の電話回線を介して送受信する一般電話通信サービス用の一般電話音声信号とＩＰ（Ｉｎｔｅｒｎｅｔ　Ｐｒｏｔｏｃｏｌ）を用いた高速データ通信サービス用の高速データ信号とを分離・合成するスプリッタ部と、高速データサービス用の前記高速データ信号を変復調するＤＳＬ（Ｄｉｇｉｔａｌ　　Ｓｕｂｓｃｒｉｂｅｒ　　Ｌｉｎｅ）モデム部と、前記高速データ通信サービスにおける通信制御を行なうネットワークインタフェース制御手段と、前記高速データ通信サービスにおける発着信を制御する呼制御手段と、前記電話回線を介してファクシミリ送受信データの送受信を行なう外付けＰＳＴＮファクシミリを接続する接続手段と、該接続手段に接続された前記外付けＰＳＴＮファクシミリからの発信情報を検出する発信情報検出手段と、前記一般電話通信サービスに基づいてファクシミリ通信を行なう際のファクシミリ送受信データを変復調するためのファクシミリモデム手段と、を具備するモデム装置において、前記一般電話通信サービスと前記高速データ通信サービスとを切り換え制御する回線切り換え制御手段と、前記外付けＰＳＴＮファクシミリに対して、前記スプリッタ部を介した前記電話回線への接続を保持する状態と前記スプリッタ部を介した前記電話回線への接続がなされていない場合において前記電話回線との擬似的な接続を保持している状態とを切り換えることができる電子負荷切り換え手段と、前記発信情報検出手段により検出された前記発信情報を一時保存することができるメモリ手段と、前記外付けＰＳＴＮファクシミリからのファクシミリ送信信号を検出するファクシミリ信号検出手段と、を具備し、前記高速データ通信サービスの高速データ通信中において、前記外付けＰＳＴＮファクシミリからの発信情報が前記発信情報検出手段により検出され、更に、前記外付けＰＳＴＮファクシミリからの前記ファクシミリ送信信号が前記ファクシミリ信号検出手段により検出された場合、前記電子負荷切り換え手段により、前記発信情報を送信してきた前記外付けＰＳＴＮファクシミリの前記電話回線に対する接続を擬似的に保持した状態で、前記呼制御手段により、高速データ通信中の状態にある前記高速データ通信サービスを切断すると共に、前記回線切り換え制御手段により前記一般電話通信サービスに切り換えて、前記発信情報検出手段により検出されて前記メモリ手段に保存されている前記発信情報を用いて、前記スプリッタ部を介して前記電話回線に対して前記一般電話通信サービスに基づいて発信動作を行ない、公衆電話網を介した通信相手先との接続がなされた際に、前記電子負荷切り換え手段により前記電話回線へ前記外付けＰＳＴＮファクシミリを接続した状態を保持する状態に切り換えて、前記一般電話通信サービスに基づいてファクシミリ送信データの送信を行なう一般ファクシミリ通信を開始することを特徴とするモデム装置。
【請求項２】
請求項１に記載のモデム装置において、前記外付けＰＳＴＮファクシミリが、ファクシミリ機能内蔵の外付けＰＳＴＮ電話機を含むことを特徴とするモデム装置。
【請求項３】
請求項２に記載のモデム装置において、前記高速データ通信サービスの高速データ通信中において、前記外付けＰＳＴＮファクシミリからの発信情報が前記発信情報検出手段により検出されても、前記外付けＰＳＴＮファクシミリからの前記ファクシミリ送信信号が前記ファクシミリ信号検出手段により検出されなかった場合、前記電子負荷切り換え手段により、前記発信情報を送信してきた前記外付けＰＳＴＮファクシミリの前記電話回線に対する接続を擬似的に保持した状態で、前記呼制御手段により、高速データ通信中の状態にある前記高速データ通信サービスを切断すると共に、前記発信情報検出手段により検出されて前記メモリ手段に保存されている前記発信情報を用いて、前記呼制御手段により、再度、前記電話回線に対して前記高速データ通信サービスに基づいて発信動作を行ない、公衆電話網を介した通信相手先との接続がなされた際に、前記外付けＰＳＴＮファクシミリに対してＩＰ音声データに基づくＶｏＩＰ通信を行なうことを特徴とするモデム装置。
【請求項４】
公衆電話網ＰＳＴＮ（Ｐｕｂｌｉｃ　Ｓｗｉｔｃｈｅｄ　Ｔｅｌｅｐｈｏｎｅ　　Ｎｅｔｗｏｒｋ）の電話回線を介して送受信する一般電話通信サービス用の一般電話音声信号とＩＰ（Ｉｎｔｅｒｎｅｔ　Ｐｒｏｔｏｃｏｌ）を用いた高速データ通信サービス用の高速データ信号とを分離・合成するスプリッタ部と、高速データサービス用の前記高速データ信号を変復調するＤＳＬ（Ｄｉｇｉｔａｌ　　Ｓｕｂｓｃｒｉｂｅｒ　　Ｌｉｎｅ）モデム部と、前記高速データ通信サービスにおける通信制御を行なうネットワークインタフェース制御手段と、前記高速データ通信サービスにおける発着信を制御する呼制御手段と、前記電話回線を介してファクシミリ送受信データの送受信を行なう外付けＰＳＴＮファクシミリを接続する接続手段と、該接続手段に接続された前記外付けＰＳＴＮファクシミリからの発信情報を検出する発信情報検出手段と、前記一般電話通信サービスに基づいてファクシミリ通信を行なう際のファクシミリ送受信データを変復調するためのファクシミリモデム手段と、を具備するモデム装置において、前記高速データ通信サービスに用いられる通信情報符号化方式として、高圧縮率の符号化方式と低圧縮率の符号化方式とを切り換えることができる通信情報符号化方式切り換え手段と、前記外付けＰＳＴＮファクシミリに対して、前記スプリッタ部を介した前記電話回線への接続を保持する状態と前記スプリッタ部を介した前記電話回線への接続がなされていない場合において前記電話回線との擬似的な接続を保持している状態とを切り換えることができる電子負荷切り換え手段と、前記発信情報検出手段により検出された前記発信情報を一時保存することができるメモリ手段と、前記外付けＰＳＴＮファクシミリからのファクシミリ送信信号を検出するファクシミリ信号検出手段と、を具備し、前記高速データ通信サービスの高速データ通信中において、前記外付けＰＳＴＮファクシミリからの発信情報が前記発信情報検出手段により検出され、更に、前記外付けＰＳＴＮファクシミリからの前記ファクシミリ送信信号が前記ファクシミリ信号検出手段により検出された場合、前記電子負荷切り換え手段により、前記発信情報を送信してきた前記外付けＰＳＴＮファクシミリの前記電話回線に対する接続を擬似的に保持した状態で、前記呼制御手段により、高速データ通信中の状態にある前記高速データ通信サービスを切断すると共に、前記発信情報検出手段により検出されて前記メモリ手段に保存されている前記発信情報を用いて、前記呼制御手段により、再度、前記電話回線に対して前記高速データ通信サービスに基づいて発信動作を行ない、公衆電話網を介した通信相手先との接続がなされた際に、前記通信情報符号化方式切り換え手段により、高圧縮率の符号化方式から低圧縮率の符号化方式に切り換えた通信情報符号化方式による前記高速データ通信サービスに基づいて、前記外付けＰＳＴＮファクシミリからのファクシミリ送信データの送信を行なうＩＰファクシミリ通信を開始することを特徴とするモデム装置。
【請求項５】
請求項４に記載のモデム装置において、前記電話回線に対して前記高速データ通信サービスに基づいて発信動作を行なう際に、通信相手先に対して送信する接続要求情報の中に、前記通信情報符号化方式切り換え手段により切り換えられる通信情報符号化方式を示す情報が含まれていることを特徴とするモデム装置。
【請求項６】
請求項４又は５に記載のモデム装置において、ファクシミリ送信データの送信側で適用せんとしている通信情報符号化方式による前記高速データ通信サービスを行なう代わりに、公衆電話網を介した通信相手先との接続がなされる際に、該通信相手先からの応答情報に含まれている通信情報符号化方式に関する情報に基づいて、前記ファクシミリ送信データの通信情報符号化方式を前記通信情報符号化方式切り換え手段により切り換えることを特徴とするモデム装置。
【請求項７】
請求項４乃至６のいずれかに記載のモデム装置において、通信相手先を示す相手番号と、該通信相手先へのファクシミリ送信データの符号化を用いられる通信情報符号化方式とを保存するメモリ手段を備え、該メモリ手段に保存されている前記相手番号と同一の相手番号の通信相手先への発信情報が、前記呼制御手段にて検出された場合、該相手番号に対応して前記メモリ手段に保存されている前記通信情報符号化方式に基づいて、該相手番号の通信相手先へのファクシミリ送信データの通信情報符号化方式を前記通信情報符号化方式切り換え手段により切り換えることを特徴とするモデム装置。
【請求項８】
請求項４乃至７のいずれかに記載のモデム装置において、前記外付けＰＳＴＮファクシミリが、ファクシミリ機能内蔵の外付けＰＳＴＮ電話機を含むことを特徴とするモデム装置。
【請求項９】
請求項８に記載のモデム装置において、前記高速データ通信サービスの高速データ通信中において、前記外付けＰＳＴＮファクシミリからの発信情報が前記発信情報検出手段により検出されても、前記外付けＰＳＴＮファクシミリからの前記ファクシミリ送信信号が前記ファクシミリ信号検出手段により検出されなかった場合、あるいは、前記高速データ通信サービスの着信情報を前記呼制御手段にて検出した際に、前記ネットワークインタフェース制御手段にてファクシミリ受信データを検出していない場合、前記呼制御手段により、高速データ通信中の状態にある前記高速データ通信サービスを切断した後、前記高速データ通信サービスに基づいて、前記電話回線に対する発信動作、あるいは、前記外付けＰＳＴＮファクシミリに対する着信動作を行ない、前記通信情報符号化方式切り換え手段により高圧縮率の符号化方式として、前記外付けＰＳＴＮファクシミリに対してＩＰ音声データに基づくＶｏＩＰ通信を行なうことを特徴とするモデム装置。
【請求項１０】
請求項４乃至９のいずれかに記載のモデム装置において、前記高速データ通信サービスの着信情報を前記呼制御手段にて検出した際に、前記ネットワークインタフェース制御手段にてファクシミリ受信データを検出している場合、前記通信情報符号化方式切り換え手段により、高圧縮率の符号化方式から低圧縮率の符号化方式に切り換えて、受信したファクシミリ受信データを復号することを特徴とするモデム装置。
【請求項１１】
請求項１０に記載のモデム装置において、前記呼制御手段にて検出された前記高速データ通信サービスの前記着信情報に、適用すべき通信符号化方式に関する情報が含まれていた場合、前記通信情報符号化方式切り換え手段により、該着信情報に含まれていた前記通信情報符号化方式に切り換えて、受信したファクシミリ受信データを復号することを特徴とするモデム装置。
【請求項１２】
請求項１０又は１１に記載のモデム装置において、前記高速データ通信サービスの着信情報を前記呼制御手段にて検出した際に、該着信情報に応答するために通信相手先に返送する応答情報の中に、当該モデム装置においてファクシミリ受信データの復号に用いる通信情報符号化方式に関する情報を含ませて返送することを特徴とするモデム装置。
【請求項１３】
請求項１０乃至１２のいずれかに記載のモデム装置において、前記高速データ通信サービスの着信情報を前記呼制御手段にて検出した際に、該着信情報を送信した通信相手先を示す相手番号と該通信相手先からのファクシミリ受信データの復号に用いられる通信情報符号化方式とを保存するメモリ手段を具備し、該メモリ手段に保存された前記相手番号と同一の相手番号の通信相手先からの着信情報が前記呼制御手段にて検出された場合には、該相手番号に対応して前記メモリ手段に保存されている前記通信情報符号化方式に基づいて、受信したファクシミリ受信データを復号することを特徴とするモデム装置。
【請求項１４】
公衆電話網ＰＳＴＮ（Ｐｕｂｌｉｃ　Ｓｗｉｔｃｈｅｄ　Ｔｅｌｅｐｈｏｎｅ　　Ｎｅｔｗｏｒｋ）の電話回線を介して送受信する一般電話通信サービス用の一般電話音声信号とＩＰ（Ｉｎｔｅｒｎｅｔ　Ｐｒｏｔｏｃｏｌ）を用いた高速データ通信サービス用の高速データ信号とを分離・合成するスプリッタ部と、高速データサービス用の前記高速データ信号を変復調するＤＳＬ（Ｄｉｇｉｔａｌ　　Ｓｕｂｓｃｒｉｂｅｒ　　Ｌｉｎｅ）モデム部と、前記高速データ通信サービスにおける通信制御を行なうネットワークインタフェース制御手段と、前記高速データ通信サービスにおける発着信を制御する呼制御手段と、前記一般電話通信サービスと前記高速データ通信サービスとを切り換え制御する回線切り換え制御手段と、を具備するモデム装置において、ファクシミリ送受信機能、ダイヤルキー、受話器、送受信トレイを含む汎用のファクシミリ機能を有するＰＳＴＮファクシミリ送受信機能制御部と、ファクシミリ送信動作を行なうことを前以て当該モデム装置に通知するためのファクシミリ送信キーと、を具備し、該ファクシミリ送信キーの操作により、たとえ、前記高速データ通信サービスによる高速データ通信中であっても、前記ＰＳＴＮファクシミリ送受信機能制御部を起動し、前記呼制御手段により高速データ通信中の状態にある前記高速データ通信サービスを切断すると共に、前記回線切り換え制御手段により前記一般電話通信サービスに自動的に切り換えてファクシミリ送信データの送信を行なう一般ファクシミリ通信を開始することを特徴とするモデム装置。
【請求項１５】
公衆電話網ＰＳＴＮ（Ｐｕｂｌｉｃ　Ｓｗｉｔｃｈｅｄ　Ｔｅｌｅｐｈｏｎｅ　　Ｎｅｔｗｏｒｋ）の電話回線を介して送受信する一般電話通信サービス用の一般電話音声信号とＩＰ（Ｉｎｔｅｒｎｅｔ　Ｐｒｏｔｏｃｏｌ）を用いた高速データ通信サービス用の高速データ信号とを分離・合成するスプリッタ部と、高速データサービス用の前記高速データ信号を変復調するＤＳＬ（Ｄｉｇｉｔａｌ　　Ｓｕｂｓｃｒｉｂｅｒ　　Ｌｉｎｅ）モデム部と、前記高速データ通信サービスにおける通信制御を行なうネットワークインタフェース制御手段と、前記高速データ通信サービスにおける発着信を制御する呼制御手段と、前記一般電話通信サービスと前記高速データ通信サービスとを切り換え制御する回線切り換え制御手段と、を具備するモデム装置において、ファクシミリ送受信機能、ダイヤルキー、受話器、送受信トレイを含む汎用のファクシミリ機能を有するＰＳＴＮファクシミリ送受信機能制御部と、該ＰＳＴＮファクシミリ送受信機能制御部の送信トレイにファクシミリ送信用紙が載置されていること検出する用紙検出手段と、を具備し、該用紙検出手段がファクシミリ送信用紙の載置を検出することにより、たとえ、前記高速データ通信サービスによる高速データ通信中であっても、前記ＰＳＴＮファクシミリ送受信機能制御部を起動し、前記呼制御手段により高速データ通信中の状態にある前記高速データ通信サービスを切断すると共に、前記回線切り換え制御手段により前記一般電話通信サービスに自動的に切り換えてファクシミリ送信データの送信を行なう一般ファクシミリ通信を開始することを特徴とするモデム装置。
【請求項１６】
公衆電話網ＰＳＴＮ（Ｐｕｂｌｉｃ　Ｓｗｉｔｃｈｅｄ　Ｔｅｌｅｐｈｏｎｅ　　Ｎｅｔｗｏｒｋ）の電話回線を介して送受信する一般電話通信サービス用の一般電話音声信号とＩＰ（Ｉｎｔｅｒｎｅｔ　Ｐｒｏｔｏｃｏｌ）を用いた高速データ通信サービス用の高速データ信号とを分離・合成するスプリッタ部と、高速データサービス用の前記高速データ信号を変復調するＤＳＬ（Ｄｉｇｉｔａｌ　　Ｓｕｂｓｃｒｉｂｅｒ　　Ｌｉｎｅ）モデム部と、前記高速データ通信サービスにおける通信制御を行なうネットワークインタフェース制御手段と、前記高速データ通信サービスにおける発着信を制御する呼制御手段と、前記高速データ通信サービスに用いられる通信情報符号化方式として、高圧縮率の符号化方式と低圧縮率の符号化方式とを切り換えることができる通信情報符号化方式切り換え手段と、を具備するモデム装置において、ファクシミリ送受信機能、ダイヤルキー、受話器、送受信トレイを含む汎用のファクシミリ機能を有するＰＳＴＮファクシミリ送受信機能制御部と、ファクシミリ送信動作を行なうことを前以て当該モデム装置に通知するためのファクシミリ送信キーと、を具備し、該ファクシミリ送信キーの操作により、前記ＰＳＴＮファクシミリ送受信機能制御部を起動し、前記呼制御手段により高速データ通信中の状態にある前記高速データ通信サービスを切断すると共に、前記呼制御手段により、再度、前記電話回線に対して前記高速データ通信サービスに基づいて発信動作を行ない、公衆電話網を介した通信相手先との接続がなされた際に、前記通信情報符号化方式切り換え手段により高圧縮率の符号化方式から低圧縮率の符号化方式に自動的に切り換えて、高速データ通信サービスにてファクシミリ送信データの送信を行なうＩＰファクシミリ通信を開始することを特徴とするモデム装置。
【請求項１７】
公衆電話網ＰＳＴＮ（Ｐｕｂｌｉｃ　Ｓｗｉｔｃｈｅｄ　Ｔｅｌｅｐｈｏｎｅ　　Ｎｅｔｗｏｒｋ）の電話回線を介して送受信する一般電話通信サービス用の一般電話音声信号とＩＰ（Ｉｎｔｅｒｎｅｔ　Ｐｒｏｔｏｃｏｌ）を用いた高速データ通信サービス用の高速データ信号とを分離・合成するスプリッタ部と、高速データサービス用の前記高速データ信号を変復調するＤＳＬ（Ｄｉｇｉｔａｌ　　Ｓｕｂｓｃｒｉｂｅｒ　　Ｌｉｎｅ）モデム部と、前記高速データ通信サービスにおける通信制御を行なうネットワークインタフェース制御手段と、前記高速データ通信サービスにおける発着信を制御する呼制御手段と、前記高速データ通信サービスに用いられる通信情報符号化方式として、高圧縮率の符号化方式と低圧縮率の符号化方式とを切り換えることができる通信情報符号化方式切り換え手段と、を具備するモデム装置において、ファクシミリ送受信機能、ダイヤルキー、受話器、送受信トレイを含む汎用のファクシミリ機能を有するＰＳＴＮファクシミリ送受信機能制御部と、該ＰＳＴＮファクシミリ送受信機能制御部の送信トレイにファクシミリ送信用紙が載置されていること検出する用紙検出手段と、を具備し、該用紙検出手段がファクシミリ送信用紙の載置を検出することにより、前記ＰＳＴＮファクシミリ送受信機能制御部を起動し、前記呼制御手段により高速データ通信中の状態にある前記高速データ通信サービスを切断すると共に、前記呼制御手段により、再度、前記電話回線に対して前記高速データ通信サービスに基づいて発信動作を行ない、公衆電話網を介した通信相手先との接続がなされた際に、前記通信情報符号化方式切り換え手段により高圧縮率の符号化方式から低圧縮率の符号化方式に自動的に切り換えて、高速データ通信サービスにてファクシミリ送信データの送信を行なうＩＰファクシミリ通信を開始することを特徴とするモデム装置。
【請求項１８】
請求項１６又は１７に記載のモデム装置において、前記電話回線に対して前記高速データ通信サービスに基づいて発信動作を行なう際に、通信相手先に対して送信する接続要求情報の中に、前記通信情報符号化方式切り換え手段により切り換えられる通信情報符号化方式を示す情報が含まれていることを特徴とするモデム装置。
【請求項１９】
請求項１６乃至１８のいずれかに記載のモデム装置において、ファクシミリ送信データの送信側で適用せんとしている通信情報符号化方式による前記高速データ通信サービスを行なう代わりに、公衆電話網を介した通信相手先との接続がなされる際に、該通信相手先からの応答情報に含まれている通信情報符号化方式に関する情報に基づいて、前記ファクシミリ送信データの通信情報符号化方式を前記通信情報符号化方式切り換え手段により切り換えることを特徴とするモデム装置。
【請求項２０】
請求項１６乃至１９のいずれかに記載のモデム装置において、通信相手先を示す相手番号と、該通信相手先へのファクシミリ送信データの符号化を用いられる通信情報符号化方式とを保存するメモリ手段を備え、該メモリ手段に保存されている前記相手番号と同一の相手番号の通信相手先への発信情報が、前記呼制御手段にて検出された場合、該相手番号に対応して前記メモリ手段に保存されている前記通信情報符号化方式に基づいて、該相手番号の通信相手先へのファクシミリ送信データの通信情報符号化方式を前記通信情報符号化方式切り換え手段により切り換えることを特徴とするモデム装置。
【請求項２１】
請求項１乃至２０のいずれかに記載のモデム装置において、前記一般電話通信サービスに基づく一般ファクシミリ通信を行なうか、あるいは、前記高速データ通信サービスに基づくＩＰファクシミリ通信を行なうかをユーザが予め指定することができることを特徴とするモデム装置。
【発明の詳細な説明】
【０００１】
【発明の属する技術分野】
本発明は、モデム装置に関し、例えば、ファクシミリ機能搭載の外付けＰＳＴＮ（Ｐｕｂｌｉｃ　Ｓｗｉｔｃｈｅｄ　Ｔｅｌｅｐｈｏｎｅ　　Ｎｅｔｗｏｒｋ）電話装置又は外付けＰＳＴＮファクシミリに接続して、公衆電話網ＰＳＴＮを利用し、一般電話音声信号に基づく一般電話通信サービスによる一般ファクシミリ通信を行なうと共に、ＤＳＬ（Ｄｉｇｉｔａｌ　　Ｓｕｂｓｃｒｉｂｅｒ　　Ｌｉｎｅ）機能を用いた高速データ信号に基づくＩＰ（Ｉｎｔｅｒｎｅｔ　Ｐｒｏｔｏｃｏｌ）通信サービス（即ち、高速データ通信サービス）によるＩＰファクシミリ通信の双方を行なうことができるＤＳＬ機能付きのモデム装置に関する。また、一般電話音声信号に基づく一般電話通信サービスによる一般ファクシミリ通信及びＤＳＬ機能を用いた高速データ信号に基づく高速データ通信サービスによるＩＰファクシミリ通信の両者のファクシミリ通信を行なうことができるファクシミリ機能搭載のＤＳＬ機能付きのモデム装置に関する。
【０００２】
【従来の技術】
最近、公衆電話網ＰＳＴＮ（Ｐｕｂｌｉｃ　　Ｓｗｉｔｃｈｅｄ　　Ｔｅｌｅｐｈｏｎｅ　Ｎｅｔｗｏｒｋ）を介してインターネット接続を実現する接続形態として、既存のアナログ電話回線に対してＩＰ（Ｉｎｔｅｒｎｅｔ　Ｐｒｏｔｏｃｏｌ）プロトコルを用いてより高速のデータ送受信を実施することが可能なＤＳＬ（Ｄｉｇｉｔａｌ　　Ｓｕｂｓｃｒｉｂｅｒ　　Ｌｉｎｅ）機能を付与する利用形態が普及してきている
また、公衆電話網ＰＳＴＮを介して実施される、ＤＳＬ機能によるＩＰ通信サービス（即ち、高速データ通信サービス）を利用して、ファクシミリ通信や音声通信を行なうための装置に関しては、例えば、ＶｏＩＰ（Ｖｏｉｃｅ　　ｏｖｅｒ　　ＩＰ）通信において、ファクシミリ通信呼の画エラーなどの通信エラーの発生や音声通信呼における音声途切れなどの通信エラーの発生を防止するための通信方式が提案されている（例えば、特許文献１を参照のこと）。
【０００３】
ＶｏＩＰゲートウェイ装置を介してファクシミリ通信を行なうために、ＶｏＩＰゲートウェイ装置において、ＶｏＩＰ音声通信モードからＩＰファクシミリ通信モードに切り換える際に、ＩＰファクシミリ通信に必要とする通信速度として、切り換えられる対象のＶｏＩＰ音声通信呼の開始に当たって確保されていた使用帯域容量を超えた高いデータ通信速度で接続されることになると、ＩＰファクシミリ通信として必要なファクシミリ送信データを転送することができず、当該通信呼であるＩＰファクシミリ通信において画エラーなどの通信エラーを生起させたり、あるいは、他の通信呼であるＶｏＩＰ音声通信呼に対しても音声の途切れ等の通信エラーを誘起し兼ねない。前記特許文献１は、かかる通信エラーの発生を防止することを目的としているものである。
【０００４】
即ち、ＶｏＩＰゲートウェイ装置などの通信システムにおいて、例えば、ＶｏＩＰ音声通信モードで通信している通信呼を、通信の途中で、より広い使用帯域容量を必要とするＩＰファクシミリ通信モードに変更する場合などのごとく、通信呼設定後において通信モードを新たな通信モードに変更する場合に、変更後の通信モードの使用帯域容量が通信路上に確保できるか否かを判断し、確保できる場合には必要な使用帯域容量に設定変更することができるＶｏＩＰゲートウェイ装置及び該ＶｏＩＰゲートウェイ装置における帯域管理方法を提供すると共に、通信路上で必要とする使用帯域容量を確保できない場合には、変更後の使用帯域容量を通信路上で確保することができる帯域容量の範囲内に制限するように設定して通信を行なわしめることができるＶｏＩＰゲートウェイ装置及び該ＶｏＩＰゲートウェイ装置における帯域管理方法を提供することを可能としている。
【０００５】
而して、通信システムにおいて、使用帯域容量が狭くても良いＶｏＩＰ音声通信モードから使用帯域容量を広く必要とするＩＰファクシミリ通信モードなどのデータ通信モードに切り換えた場合であっても、通信路の帯域容量が不足することによる、ファクシミリ通信呼（あるいはデータ通信呼）の通信エラーの発生や、他の通信呼の音声通信に対する音声途切れなどの通信エラーの発生を防止することを可能としている。
【０００６】
【特許文献１】
特開２００２−１７６４３８号公報（第５−７頁、図１、図９）
【０００７】
【発明が解決しようとする課題】
一般に、ファクシミリ通信を行なう場合、高速データ通信サービス（即ち、ＩＰ通信サービス）としてＩＰ通信ネットワークその他のデジタル通信ネットワークを介した場合であっても、音声通信回線（電話回線）上の一般の電話音声サービスによる一般ファクシミリ通信を行なう場合であれば、通信装置側にはファクシミリ終端部を持つことが必要になる。あるいは、ＤＳＬ機能に基づく高速データ通信サービス（ＩＰ通信サービス）によるＩＰファクシミリ通信を行なう場合には、通信装置側にファクシミリ終端部を持たない代わりに、ＩＴＵ−Ｔ勧告Ｔ．３８規格（即ち、リアルタイムＧ３−Ｆａｘ通信　ｏｖｅｒ　ＩＰ）に従う必要がある。
また、従来技術の特許文献１として前述したように、ＤＳＬ機能に基づくＶｏＩＰ通信サービスを行なう場合、電話音声通信の場合よりも広い使用帯域容量を必要とするファクシミリ通信等、異なる通信モードの切り換えを考慮して、ＶｏＩＰゲートウェイ装置にて通信モードの使用帯域容量などを管理する必要がある。
【０００８】
本発明は、かかる事情を考慮してなされたものであり、従来の公衆電話網ＰＳＴＮの一般電話回線を前提とした外付けＰＳＴＮファクシミリを接続し、かつ、一般の電話通信サービスによる一般ファクシミリ通信と高速データ通信サービス（ＩＰ通信サービス）によるＩＰファクシミリ通信との切り換えを行なう回線切り換え制御手段や、高速データ通信サービス（ＩＰ通信サービス）における通信情報に対して適用する通信情報符号化方式を高圧縮率と低圧縮率との間で切り換えを行なう通信情報符号化方式切り換え手段を備えることにより、ＩＰ通信用途向けの専用ＩＰファクシミリ装置を使用することなく、外付けＰＳＴＮファクシミリを用いて、一般電話音声信号を使用する一般ファクシミリ通信と使用帯域容量を考慮したＩＰファクシミリ通信との双方を実施可能とするファクシミリ通信環境を構築できるモデム装置を提供せんとするものである。
【０００９】
また、ファクシミリ通信機能を内蔵し、ファクシミリ送信を行なうことを指示するファクシミリ送信キーの操作を判断することにより、又は、送信トレイに載置したファクシミリ送信用紙の有無を判断することにより、一般の電話通信サービスによる一般ファクシミリ通信と高速データ通信サービスによるＩＰファクシミリ通信との切り換えや、高速データ通信サービスにおける通信情報に対して適用する通信情報符号化方式に関する高圧縮率と低圧縮率との間の切り換えを容易に行なうことができるモデム装置を提供せんとするものである。
【００１０】
【課題を解決するための手段】
第１の発明は、公衆電話網ＰＳＴＮ（Ｐｕｂｌｉｃ　Ｓｗｉｔｃｈｅｄ　Ｔｅｌｅｐｈｏｎｅ　　Ｎｅｔｗｏｒｋ）の電話回線を介して送受信する一般電話通信サービス用の一般電話音声信号とＩＰ（Ｉｎｔｅｒｎｅｔ　Ｐｒｏｔｏｃｏｌ）を用いた高速データ通信サービス用の高速データ信号とを分離・合成するスプリッタ部と、高速データサービス用の前記高速データ信号を変復調するＤＳＬ（Ｄｉｇｉｔａｌ　　Ｓｕｂｓｃｒｉｂｅｒ　　Ｌｉｎｅ）モデム部と、前記高速データ通信サービスにおける通信制御を行なうネットワークインタフェース制御手段と、前記高速データ通信サービスにおける発着信を制御する呼制御手段と、前記電話回線を介してファクシミリ送受信データの送受信を行なう外付けＰＳＴＮファクシミリを接続する接続手段と、該接続手段に接続された前記外付けＰＳＴＮファクシミリからの発信情報を検出する発信情報検出手段と、前記一般電話通信サービスに基づいてファクシミリ通信を行なう際のファクシミリ送受信データを変復調するためのファクシミリモデム手段と、を具備するモデム装置において、前記一般電話通信サービスと前記高速データ通信サービスとを切り換え制御する回線切り換え制御手段と、前記外付けＰＳＴＮファクシミリに対して、前記スプリッタ部を介した前記電話回線への接続を保持する状態と前記スプリッタ部を介した前記電話回線への接続がなされていない場合において前記電話回線との擬似的な接続を保持している状態とを切り換えることができる電子負荷切り換え手段と、前記発信情報検出手段により検出された前記発信情報を一時保存することができるメモリ手段と、前記外付けＰＳＴＮファクシミリからのファクシミリ送信信号を検出するファクシミリ信号検出手段と、を具備し、前記高速データ通信サービスの高速データ通信中において、前記外付けＰＳＴＮファクシミリからの発信情報が前記発信情報検出手段により検出され、更に、前記外付けＰＳＴＮファクシミリからの前記ファクシミリ送信信号が前記ファクシミリ信号検出手段により検出された場合、前記電子負荷切り換え手段により、前記発信情報を送信してきた前記外付けＰＳＴＮファクシミリの前記電話回線に対する接続を擬似的に保持した状態で、前記呼制御手段により、高速データ通信中の状態にある前記高速データ通信サービスを切断すると共に、前記回線切り換え制御手段により前記一般電話通信サービスに切り換えて、前記発信情報検出手段により検出されて前記メモリ手段に保存されている前記発信情報を用いて、前記スプリッタ部を介して前記電話回線に対して前記一般電話通信サービスに基づいて発信動作を行ない、公衆電話網を介した通信相手先との接続がなされた際に、前記電子負荷切り換え手段により前記電話回線へ前記外付けＰＳＴＮファクシミリを接続した状態を保持する状態に切り換えて、前記一般電話通信サービスに基づいてファクシミリ送信データの送信を行なう一般ファクシミリ通信を開始するモデム装置とすることを特徴とするものである。
【００１１】
第２の発明は、前記第１の発明に記載のモデム装置において、前記外付けＰＳＴＮファクシミリが、ファクシミリ機能内蔵の外付けＰＳＴＮ電話機を含むモデム装置とすることを特徴とするものである。
【００１２】
第３の発明は、前記第２の発明に記載のモデム装置において、前記高速データ通信サービスの高速データ通信中において、前記外付けＰＳＴＮファクシミリからの発信情報が前記発信情報検出手段により検出されても、前記外付けＰＳＴＮファクシミリからの前記ファクシミリ送信信号が前記ファクシミリ信号検出手段により検出されなかった場合、前記電子負荷切り換え手段により、前記発信情報を送信してきた前記外付けＰＳＴＮファクシミリの前記電話回線に対する接続を擬似的に保持した状態で、前記呼制御手段により、高速データ通信中の状態にある前記高速データ通信サービスを切断すると共に、前記発信情報検出手段により検出されて前記メモリ手段に保存されている前記発信情報を用いて、前記呼制御手段により、再度、前記電話回線に対して前記高速データ通信サービスに基づいて発信動作を行ない、公衆電話網を介した通信相手先との接続がなされた際に、前記外付けＰＳＴＮファクシミリに対してＩＰ音声データに基づくＶｏＩＰ通信を行なうモデム装置とすることを特徴とするものである。
【００１３】
第４の発明は、公衆電話網ＰＳＴＮ（Ｐｕｂｌｉｃ　Ｓｗｉｔｃｈｅｄ　Ｔｅｌｅｐｈｏｎｅ　　Ｎｅｔｗｏｒｋ）の電話回線を介して送受信する一般電話通信サービス用の一般電話音声信号とＩＰ（Ｉｎｔｅｒｎｅｔ　Ｐｒｏｔｏｃｏｌ）を用いた高速データ通信サービス用の高速データ信号とを分離・合成するスプリッタ部と、高速データサービス用の前記高速データ信号を変復調するＤＳＬ（Ｄｉｇｉｔａｌ　　Ｓｕｂｓｃｒｉｂｅｒ　　Ｌｉｎｅ）モデム部と、前記高速データ通信サービスにおける通信制御を行なうネットワークインタフェース制御手段と、前記高速データ通信サービスにおける発着信を制御する呼制御手段と、前記電話回線を介してファクシミリ送受信データの送受信を行なう外付けＰＳＴＮファクシミリを接続する接続手段と、該接続手段に接続された前記外付けＰＳＴＮファクシミリからの発信情報を検出する発信情報検出手段と、前記一般電話通信サービスに基づいてファクシミリ通信を行なう際のファクシミリ送受信データを変復調するためのファクシミリモデム手段と、を具備するモデム装置において、前記高速データ通信サービスに用いられる通信情報符号化方式として、高圧縮率の符号化方式と低圧縮率の符号化方式とを切り換えることができる通信情報符号化方式切り換え手段と、前記外付けＰＳＴＮファクシミリに対して、前記スプリッタ部を介した前記電話回線への接続を保持する状態と前記スプリッタ部を介した前記電話回線への接続がなされていない場合において前記電話回線との擬似的な接続を保持している状態とを切り換えることができる電子負荷切り換え手段と、前記発信情報検出手段により検出された前記発信情報を一時保存することができるメモリ手段と、前記外付けＰＳＴＮファクシミリからのファクシミリ送信信号を検出するファクシミリ信号検出手段と、を具備し、前記高速データ通信サービスの高速データ通信中において、前記外付けＰＳＴＮファクシミリからの発信情報が前記発信情報検出手段により検出され、更に、前記外付けＰＳＴＮファクシミリからの前記ファクシミリ送信信号が前記ファクシミリ信号検出手段により検出された場合、前記電子負荷切り換え手段により、前記発信情報を送信してきた前記外付けＰＳＴＮファクシミリの前記電話回線に対する接続を擬似的に保持した状態で、前記呼制御手段により、高速データ通信中の状態にある前記高速データ通信サービスを切断すると共に、前記発信情報検出手段により検出されて前記メモリ手段に保存されている前記発信情報を用いて、前記呼制御手段により、再度、前記電話回線に対して前記高速データ通信サービスに基づいて発信動作を行ない、公衆電話網を介した通信相手先との接続がなされた際に、前記通信情報符号化方式切り換え手段により、高圧縮率の符号化方式から低圧縮率の符号化方式に切り換えた通信情報符号化方式による前記高速データ通信サービスに基づいて、前記外付けＰＳＴＮファクシミリからのファクシミリ送信データの送信を行なうＩＰファクシミリ通信を開始するモデム装置とすることを特徴とするものである。
【００１４】
第５の発明は、前記第４の発明に記載のモデム装置において、前記電話回線に対して前記高速データ通信サービスに基づいて発信動作を行なう際に、通信相手先に対して送信する接続要求情報の中に、前記通信情報符号化方式切り換え手段により切り換えられる通信情報符号化方式を示す情報が含まれているモデム装置とすることを特徴とするものである。
【００１５】
第６の発明は、前記第４又は第５の発明に記載のモデム装置において、ファクシミリ送信データの送信側で適用せんとしている通信情報符号化方式による前記高速データ通信サービスを行なう代わりに、公衆電話網を介した通信相手先との接続がなされる際に、該通信相手先からの応答情報に含まれている通信情報符号化方式に関する情報に基づいて、前記ファクシミリ送信データの通信情報符号化方式を前記通信情報符号化方式切り換え手段により切り換えるモデム装置とすることを特徴とするものである。
【００１６】
第７の発明は、前記第４乃至第６の発明のいずれかに記載のモデム装置において、通信相手先を示す相手番号と、該通信相手先へのファクシミリ送信データの符号化を用いられる通信情報符号化方式とを保存するメモリ手段を備え、該メモリ手段に保存されている前記相手番号と同一の相手番号の通信相手先への発信情報が、前記呼制御手段にて検出された場合、該相手番号に対応して前記メモリ手段に保存されている前記通信情報符号化方式に基づいて、該相手番号の通信相手先へのファクシミリ送信データの通信情報符号化方式を前記通信情報符号化方式切り換え手段により切り換えるモデム装置とすることを特徴とするものである。
【００１７】
第８の発明は、前記第４乃至第７の発明のいずれかに記載のモデム装置において、前記外付けＰＳＴＮファクシミリが、ファクシミリ機能内蔵の外付けＰＳＴＮ電話機を含むモデム装置とすることを特徴とするものである。
【００１８】
第９の発明は、前記第８の発明に記載のモデム装置において、前記高速データ通信サービスの高速データ通信中において、前記外付けＰＳＴＮファクシミリからの発信情報が前記発信情報検出手段により検出されても、前記外付けＰＳＴＮファクシミリからの前記ファクシミリ送信信号が前記ファクシミリ信号検出手段により検出されなかった場合、あるいは、前記高速データ通信サービスの着信情報を前記呼制御手段にて検出した際に、前記ネットワークインタフェース制御手段にてファクシミリ受信データを検出していない場合、前記呼制御手段により、高速データ通信中の状態にある前記高速データ通信サービスを切断した後、前記高速データ通信サービスに基づいて、前記電話回線に対する発信動作、あるいは、前記外付けＰＳＴＮファクシミリに対する着信動作を行ない、前記通信情報符号化方式切り換え手段により高圧縮率の符号化方式として、前記外付けＰＳＴＮファクシミリに対してＩＰ音声データに基づくＶｏＩＰ通信を行なうモデム装置とすることを特徴とするものである。
【００１９】
第１０の発明は、前記第４乃至第９の発明のいずれかに記載のモデム装置において、前記高速データ通信サービスの着信情報を前記呼制御手段にて検出した際に、前記ネットワークインタフェース制御手段にてファクシミリ受信データを検出している場合、前記通信情報符号化方式切り換え手段により、高圧縮率の符号化方式から低圧縮率の符号化方式に切り換えて、受信したファクシミリ受信データを復号するモデム装置とすることを特徴とするものである。
【００２０】
第１１の発明は、前記第１０の発明に記載のモデム装置において、前記呼制御手段にて検出された前記高速データ通信サービスの前記着信情報に、適用すべき通信符号化方式に関する情報が含まれていた場合、前記通信情報符号化方式切り換え手段により、該着信情報に含まれていた前記通信情報符号化方式に切り換えて、受信したファクシミリ受信データを復号するモデム装置とすることを特徴とするものである。
【００２１】
第１２の発明は、前記第１０又は第１１の発明に記載のモデム装置において、前記高速データ通信サービスの着信情報を前記呼制御手段にて検出した際に、該着信情報に応答するために通信相手先に返送する応答情報の中に、当該モデム装置においてファクシミリ受信データの復号に用いる通信情報符号化方式に関する情報を含ませて返送するモデム装置とすることを特徴とするものである。
【００２２】
第１３の発明は、前記第１０乃至第１２の発明のいずれかに記載のモデム装置において、前記高速データ通信サービスの着信情報を前記呼制御手段にて検出した際に、該着信情報を送信した通信相手先を示す相手番号と該通信相手先からのファクシミリ受信データの復号に用いられる通信情報符号化方式とを保存するメモリ手段を具備し、該メモリ手段に保存された前記相手番号と同一の相手番号の通信相手先からの着信情報が前記呼制御手段にて検出された場合には、該相手番号に対応して前記メモリ手段に保存されている前記通信情報符号化方式に基づいて、受信したファクシミリ受信データを復号するモデム装置とすることを特徴とするものである。
【００２３】
第１４の発明は、公衆電話網ＰＳＴＮ（Ｐｕｂｌｉｃ　Ｓｗｉｔｃｈｅｄ　Ｔｅｌｅｐｈｏｎｅ　　Ｎｅｔｗｏｒｋ）の電話回線を介して送受信する一般電話通信サービス用の一般電話音声信号とＩＰ（Ｉｎｔｅｒｎｅｔ　Ｐｒｏｔｏｃｏｌ）を用いた高速データ通信サービス用の高速データ信号とを分離・合成するスプリッタ部と、高速データサービス用の前記高速データ信号を変復調するＤＳＬ（Ｄｉｇｉｔａｌ　　Ｓｕｂｓｃｒｉｂｅｒ　　Ｌｉｎｅ）モデム部と、前記高速データ通信サービスにおける通信制御を行なうネットワークインタフェース制御手段と、前記高速データ通信サービスにおける発着信を制御する呼制御手段と、前記一般電話通信サービスと前記高速データ通信サービスとを切り換え制御する回線切り換え制御手段と、を具備するモデム装置において、ファクシミリ送受信機能、ダイヤルキー、受話器、送受信トレイを含む汎用のファクシミリ機能を有するＰＳＴＮファクシミリ送受信機能制御部と、ファクシミリ送信動作を行なうことを前以て当該モデム装置に通知するためのファクシミリ送信キーと、を具備し、該ファクシミリ送信キーの操作により、たとえ、前記高速データ通信サービスによる高速データ通信中であっても、前記ＰＳＴＮファクシミリ送受信機能制御部を起動し、前記呼制御手段により高速データ通信中の状態にある前記高速データ通信サービスを切断すると共に、前記回線切り換え制御手段により前記一般電話通信サービスに自動的に切り換えてファクシミリ送信データの送信を行なう一般ファクシミリ通信を開始するモデム装置とすることを特徴とするものである。
【００２４】
第１５の発明は、公衆電話網ＰＳＴＮ（Ｐｕｂｌｉｃ　Ｓｗｉｔｃｈｅｄ　Ｔｅｌｅｐｈｏｎｅ　　Ｎｅｔｗｏｒｋ）の電話回線を介して送受信する一般電話通信サービス用の一般電話音声信号とＩＰ（Ｉｎｔｅｒｎｅｔ　Ｐｒｏｔｏｃｏｌ）を用いた高速データ通信サービス用の高速データ信号とを分離・合成するスプリッタ部と、高速データサービス用の前記高速データ信号を変復調するＤＳＬ（Ｄｉｇｉｔａｌ　　Ｓｕｂｓｃｒｉｂｅｒ　　Ｌｉｎｅ）モデム部と、前記高速データ通信サービスにおける通信制御を行なうネットワークインタフェース制御手段と、前記高速データ通信サービスにおける発着信を制御する呼制御手段と、前記一般電話通信サービスと前記高速データ通信サービスとを切り換え制御する回線切り換え制御手段と、を具備するモデム装置において、ファクシミリ送受信機能、ダイヤルキー、受話器、送受信トレイを含む汎用のファクシミリ機能を有するＰＳＴＮファクシミリ送受信機能制御部と、該ＰＳＴＮファクシミリ送受信機能制御部の送信トレイにファクシミリ送信用紙が載置されていること検出する用紙検出手段と、を具備し、該用紙検出手段がファクシミリ送信用紙の載置を検出することにより、たとえ、前記高速データ通信サービスによる高速データ通信中であっても、前記ＰＳＴＮファクシミリ送受信機能制御部を起動し、前記呼制御手段により高速データ通信中の状態にある前記高速データ通信サービスを切断すると共に、前記回線切り換え制御手段により前記一般電話通信サービスに自動的に切り換えてファクシミリ送信データの送信を行なう一般ファクシミリ通信を開始するモデム装置とすることを特徴とするものである。
【００２５】
第１６の発明は、公衆電話網ＰＳＴＮ（Ｐｕｂｌｉｃ　Ｓｗｉｔｃｈｅｄ　Ｔｅｌｅｐｈｏｎｅ　　Ｎｅｔｗｏｒｋ）の電話回線を介して送受信する一般電話通信サービス用の一般電話音声信号とＩＰ（Ｉｎｔｅｒｎｅｔ　Ｐｒｏｔｏｃｏｌ）を用いた高速データ通信サービス用の高速データ信号とを分離・合成するスプリッタ部と、高速データサービス用の前記高速データ信号を変復調するＤＳＬ（Ｄｉｇｉｔａｌ　　Ｓｕｂｓｃｒｉｂｅｒ　　Ｌｉｎｅ）モデム部と、前記高速データ通信サービスにおける通信制御を行なうネットワークインタフェース制御手段と、前記高速データ通信サービスにおける発着信を制御する呼制御手段と、前記高速データ通信サービスに用いられる通信情報符号化方式として、高圧縮率の符号化方式と低圧縮率の符号化方式とを切り換えることができる通信情報符号化方式切り換え手段と、を具備するモデム装置において、ファクシミリ送受信機能、ダイヤルキー、受話器、送受信トレイを含む汎用のファクシミリ機能を有するＰＳＴＮファクシミリ送受信機能制御部と、ファクシミリ送信動作を行なうことを前以て当該モデム装置に通知するためのファクシミリ送信キーと、を具備し、該ファクシミリ送信キーの操作により、前記ＰＳＴＮファクシミリ送受信機能制御部を起動し、前記呼制御手段により高速データ通信中の状態にある前記高速データ通信サービスを切断すると共に、前記呼制御手段により、再度、前記電話回線に対して前記高速データ通信サービスに基づいて発信動作を行ない、公衆電話網を介した通信相手先との接続がなされた際に、前記通信情報符号化方式切り換え手段により高圧縮率の符号化方式から低圧縮率の符号化方式に自動的に切り換えて、高速データ通信サービスにてファクシミリ送信データの送信を行なうＩＰファクシミリ通信を開始するモデム装置とすることを特徴とするものである。
【００２６】
第１７の発明は、公衆電話網ＰＳＴＮ（Ｐｕｂｌｉｃ　Ｓｗｉｔｃｈｅｄ　Ｔｅｌｅｐｈｏｎｅ　　Ｎｅｔｗｏｒｋ）の電話回線を介して送受信する一般電話通信サービス用の一般電話音声信号とＩＰ（Ｉｎｔｅｒｎｅｔ　Ｐｒｏｔｏｃｏｌ）を用いた高速データ通信サービス用の高速データ信号とを分離・合成するスプリッタ部と、高速データサービス用の前記高速データ信号を変復調するＤＳＬ（Ｄｉｇｉｔａｌ　　Ｓｕｂｓｃｒｉｂｅｒ　　Ｌｉｎｅ）モデム部と、前記高速データ通信サービスにおける通信制御を行なうネットワークインタフェース制御手段と、前記高速データ通信サービスにおける発着信を制御する呼制御手段と、前記高速データ通信サービスに用いられる通信情報符号化方式として、高圧縮率の符号化方式と低圧縮率の符号化方式とを切り換えることができる通信情報符号化方式切り換え手段と、を具備するモデム装置において、ファクシミリ送受信機能、ダイヤルキー、受話器、送受信トレイを含む汎用のファクシミリ機能を有するＰＳＴＮファクシミリ送受信機能制御部と、該ＰＳＴＮファクシミリ送受信機能制御部の送信トレイにファクシミリ送信用紙が載置されていること検出する用紙検出手段と、を具備し、該用紙検出手段がファクシミリ送信用紙の載置を検出することにより、前記ＰＳＴＮファクシミリ送受信機能制御部を起動し、前記呼制御手段により高速データ通信中の状態にある前記高速データ通信サービスを切断すると共に、前記呼制御手段により、再度、前記電話回線に対して前記高速データ通信サービスに基づいて発信動作を行ない、公衆電話網を介した通信相手先との接続がなされた際に、前記通信情報符号化方式切り換え手段により高圧縮率の符号化方式から低圧縮率の符号化方式に自動的に切り換えて、高速データ通信サービスにてファクシミリ送信データの送信を行なうＩＰファクシミリ通信を開始するモデム装置とすることを特徴とするものである。
【００２７】
第１８の発明は、前記第１６又は第１７の発明に記載のモデム装置において、前記電話回線に対して前記高速データ通信サービスに基づいて発信動作を行なう際に、通信相手先に対して送信する接続要求情報の中に、前記通信情報符号化方式切り換え手段により切り換えられる通信情報符号化方式を示す情報が含まれているモデム装置とすることを特徴とするものである。
【００２８】
第１９の発明は、前記第１６乃至第１８の発明のいずれかに記載のモデム装置において、ファクシミリ送信データの送信側で適用せんとしている通信情報符号化方式による前記高速データ通信サービスを行なう代わりに、公衆電話網を介した通信相手先との接続がなされる際に、該通信相手先からの応答情報に含まれている通信情報符号化方式に関する情報に基づいて、前記ファクシミリ送信データの通信情報符号化方式を前記通信情報符号化方式切り換え手段により切り換えるモデム装置とすることを特徴とするものである。
【００２９】
第２０の発明は、前記第１６乃至第１９の発明のいずれかに記載のモデム装置において、通信相手先を示す相手番号と、該通信相手先へのファクシミリ送信データの符号化を用いられる通信情報符号化方式とを保存するメモリ手段を備え、該メモリ手段に保存されている前記相手番号と同一の相手番号の通信相手先への発信情報が、前記呼制御手段にて検出された場合、該相手番号に対応して前記メモリ手段に保存されている前記通信情報符号化方式に基づいて、該相手番号の通信相手先へのファクシミリ送信データの通信情報符号化方式を前記通信情報符号化方式切り換え手段により切り換えるモデム装置とすることを特徴とするものである。
【００３０】
第２１の発明は、前記第１乃至第２０の発明のいずれかに記載のモデム装置において、前記一般電話通信サービスに基づく一般ファクシミリ通信を行なうか、あるいは、前記高速データ通信サービスに基づくＩＰファクシミリ通信を行なうかをユーザが予め指定することができるモデム装置とすることを特徴とするものである。
【００３１】
【発明の実施の形態】
本発明に係るモデム装置の実施形態について、以下に図面を参照しながら説明する。まず、図１に示すブロック構成図を用いて、本発明に係るモデム装置に接続した外付けＰＳＴＮファクシミリから公衆電話網ＰＳＴＮを介してファクシミリ送受信を行なうことを可能とするＤＳＬ機能付きのモデム装置の実施形態の一例について説明する。
【００３２】
ここに、図１は、本発明に係るモデム装置の実施形態の一例を示すブロック構成図であり、一般電話通信サービス用の一般電話音声信号とＩＰ（Ｉｎｔｅｒｎｅｔ　Ｐｒｏｔｏｃｏｌ）を用いたＤＳＬ（Ｄｉｇｉｔａｌ　Ｓｕｂｓｃｒｉｂｅｒ　Ｌｉｎｅ）機能による高速データ通信サービス用の高速データ信号とのいずれかの信号により、外付けＰＳＴＮファクシミリに対してファクシミリ送受信データを送受信するモデム装置１０（即ち、ＤＳＬ機能付きのモデム装置）の構成例を示している。
【００３３】
図１に示すモデム装置１０は、公衆電話網ＰＳＴＮ１からの電話回線１ａとの間で送受信する信号を一般電話通信サービス用の一般電話音声信号とＩＰを用いた高速データ通信サービス用の高速データ信号とに分離・合成するために、一般の電話通信サービス回線１１ａと高速データ通信サービス（ＩＰ通信サービス）回線１１ｂとに分離・合成するスプリッタ部１１、高速データ通信サービス回線１１ｂ側に分離された高速データ信号に対して高速データ通信サービス用の周波数帯域で変復調を行なうＤＳＬモデム部１２、高速データ通信サービスにおける高速データ通信を制御するネットワークＩ／Ｆ（Ｉｎｔｅｒｆａｃｅ）制御部１３、高速データ通信サービスにおける発着信を制御する呼制御部１４を備えている。
【００３４】
また、モデム装置１０は、高速データ通信サービスで使用される通信情報符号化方式を高圧縮率と低圧縮率との間で切り換える制御を行なう通信情報符号化方式切り換え部１５、一般の電話通信サービスによる一般ファクシミリ通信と高速データ通信サービス（ＩＰ通信サービス）によるＩＰファクシミリ通信との切り換えを行なう、即ち、本モデム装置１０が一般電話通信サービスと高速データ通信サービスとのいずれを利用するかを制御する回線切り換え制御部１６、電話回線１ａを介した公衆電話網ＰＳＴＮからの着信を検出する着信検出部１７を備えている。
【００３５】
更に、モデム装置１０は、外付けＰＳＴＮファクシミリ２からファクシミリ接続回線２ａを介して接続部２３に送られてきたファクシミリ送信信号（即ちファクシミリ送信データ）を一般の電話通信サービス回線１１ａを介して電話回線１ａに送信するための変復調を行なうファクシミリモデム部１８、外付けＰＳＴＮファクシミリ２からのトーン・ダイヤル信号などの発信情報やファクシミリ送信信号（即ちファクシミリ送信データ）を一時的に保存するメモリ部１９、外付けＰＳＴＮファクシミリ２からのファクシミリ送信信号（即ちファクシミリ送信データ）を検出するファクシミリ信号検出部２０、外付けＰＳＴＮファクシミリ２からのトーン・ダイヤル信号などの発信情報を検出するトーン・ダイヤル検出部（発信情報検出部）２１、電話回線１ａとの間の接続が切断された際にモデム装置１０内で擬似的に電話回線１ａと外付けＰＳＴＮファクシミリ２とを接続している状態を保持し、電話回線１ａとの間の接続がなされた際に一般の電話通信サービス回線１１ａ、スプリッタ部１１を介して電話回線１ａに接続する状態に切り換えるための電子負荷切り換え装置２２を備えている。
【００３６】
なお、回線切り換え制御部１６は、着信検出部１７からの公衆電話網ＰＳＴＮの着信呼の種別を認識すると共に、外付けＰＳＴＮファクシミリ２からのファクシミリ送信信号をファクシミリ信号検出部２０において検出したか否かを認識することにより、一般の電話通信サービスによる一般ファクシミリ通信を行なう場合には、ファクシミリモデム部１８を制御してファクシミリ送受信データの変復調を行なわせる一方、高速データ通信サービス（ＩＰ通信サービス）によるＩＰファクシミリ通信を行なう場合には、呼制御部１４と相俟って、ネットワークＩ／Ｆ制御部１３に対する高速データ通信サービスの通信開始や通信終了の指示を行なうと共に、電話回線１ａと信号を送受信するスプリッタ部１１における一般の電話通信サービス回線１１ａと高速データ通信サービス回線１１ｂとの切り換え制御を行なわせる手段を提供している。
【００３７】
次に、図２は、本発明に係るモデム装置の実施形態の他の一例を示すブロック構成図であり、図１に示すモデム装置１０の場合と同様に、一般電話通信サービス用の一般電話音声信号とＤＳＬ機能による高速データ通信サービス用の高速データ信号とのいずれかの信号により、ファクシミリ送受信データを送受信するモデム装置１０′（即ち、ファクシミリ送受信ＤＳＬモデム装置）の構成例を示している。
【００３８】
ここに、本モデム装置１０′においては、図１に示すモデム装置１０の構成とは異なり、ファクシミリ送受信機能は、外付けＰＳＴＮファクシミリ２のように外付けされているものではなく、当該モデム装置１０′内部にＰＳＴＮファクシミリ送受信機能制御部３１として内蔵されている場合を示している。また、図２のモデム装置１０′の構成例において、図１と同様の機能を有する回路部に対しては、図１のモデム装置１０と同様の符号が付与されており、スプリッタ部１１、ＤＳＬモデム部１２、ネットワークＩ／Ｆ制御部１３、呼制御部１４、通信情報符号化方式切り換え部１５、回線切り換え制御部１６、着信検出部１７が備えられている。
【００３９】
また、図１のモデム装置１０と異なる回路部として、モデム装置１０′は、回線切り換え制御部１６を制御してファクシミリ送受信動作を行なうことができるＰＳＴＮファクシミリ送受信機能制御部３１、ユーザがファクシミリ送信要求を行なう際に押下操作することより本モデム装置１０′にファクシミリ送信の開始を前以てモデム装置１０′に認識させるためのファクシミリ送信キー３２、ＰＳＴＮファクシミリ送受信機能制御部３１内部に備えられているファクシミリ送信トレイにファクシミリ送信用紙があるか否かを判断し、本モデム装置１０′にファクシミリ送信の開始を前以て認識させるためのファクシミリ送信トレイセンサ部３３（即ち、用紙検出手段）とを備えている。ここに、ＰＳＴＮファクシミリ送受信機能制御部３１は、ファクシミリ送受信機能、ダイヤルキー、受話器、送受信トレイを含む汎用のファクシミリ機能を有し、ファクシミリ送信キー３２の出力、あるいは、ファクシミリ送信トレイセンサ部３３の出力に基づいて起動することが可能な構成とされている。
【００４０】
次に、図１又は図２に示すごとき構成からなるモデム装置１０又はモデム装置１０′に関し、回線切り換え制御部１６による一般の電話通信サービスによる一般ファクシミリ通信と高速データ通信サービス（ＩＰ通信サービス）によるＩＰファクシミリ通信との切り換え動作、及び、通信情報符号化方式切り換え部１５による、高速データ通信サービス時に使用される通信情報符号化方式を高圧縮率と低圧縮率との間で切り換える制御を行なう通信情報符号化方式切り換え動作、について、図３乃至図９に示すフローチャートに沿って説明する。以下の説明においては、通常は、ＤＳＬモデム部１２を介して、電話回線１ａと接続された状態にあり、高速データ通信サービスによる高速データ通信が実行されている状態にあるものとする。
【００４１】
まず、図１に示すモデム装置１０のファクシミリ送信データ（ファクシミリ送信信号）の送信時において、高速データ通信サービスによるデータ通信から一般の電話通信サービスによる一般ファクシミリ通信に切り換える回線切り換え動作について、図３に示すフローチャートに沿って説明する。
図３において、まず、外付けＰＳＴＮファクシミリ２よりファクシミリ通信開始の指示要求がなされた時点では（ステップＳ１）、モデム装置１０においては、高速データ通信サービスによるデータ通信が、スプリッタ部１１とＤＳＬモデム部１２とを介して、高速データ通信サービスを司るネットワークＩ／Ｆ制御部１３と呼制御部１４との制御により、行なわれている。
【００４２】
ここで、ファクシミリ通信開始の指示要求と同時に、外付けＰＳＴＮファクシミリ２からファクシミリ接続回線２ａを介して送出されてくるダイヤル番号やトーンなどの発信情報はトーン・ダイヤル検出部（発信情報検出部）２１により検出されて、メモリ部１９に一旦保存される（ステップＳ２）。しかる後に、外付けＰＳＴＮファクシミリ２からファクシミリ接続回線２ａを介して引き続き送信されてくるファクシミリ送信信号（ファクシミリ送信データ）を検出するファクシミリ信号検出部２０において、ファクシミリ送信信号の有無が検出されて（ステップＳ３）、ファクシミリ送信信号が検出された場合（ステップＳ３のＹＥＳ）、一旦メモリ部１９に保存されると共に、回線切り換え制御部１６に通知される。
【００４３】
ここで、ファクシミリ信号検出部２０においてファクシミリ送信信号が検出されていない場合（ステップＳ３のＮＯ）、回線切り換え制御部１６における回線の切り換え動作が起動されることなく、電子負荷切り換え装置２２により外付けＰＳＴＮファクシミリ２の電話回線１ａに対する接続を擬似的に保持した状態で、呼制御部１４により現在接続中の高速データ通信サービスによるデータ通信の切断処理を行なった後、メモリ部１９に保存されている発信情報を読み出し、該発信情報に基づいて、呼制御部１４、ネットワークＩ／Ｆ制御部１３を通して、高速データ通信サービスによる再接続即ち高速データ通信サービス回線１１ｂと電話回線１ａとの接続を行ない、ＩＰ音声データによるＶｏＩＰ通信が開始される（ステップＳ１１）。
即ち、かかる場合は、外付けＰＳＴＮファクシミリ２が、ファクシミリ機能内蔵の外付けＰＳＴＮ電話機からなっており、かかる外付けＰＳＴＮ電話機からの音声電話通信を要求する発信動作がなされている場合に該当する。
【００４４】
一方、ファクシミリ信号検出部２０においてファクシミリ送信信号が検出された場合（ステップＳ３のＹＥＳ）、該ファクシミリ送信信号が検出された旨の通知を受けた回線切り換え制御部１６において、現在接続中の高速データ通信サービスによる高速データ通信を一旦切断することを、呼制御部１４、ネットワークＩ／Ｆ制御部１３に指示し、呼制御部１４及びネットワークＩ／Ｆ制御部１３にて当該高速データ通信により接続中の状態にある電話回線１ａとの接続を切断する（ステップＳ４）。
【００４５】
また、ステップＳ４において電話回線１ａとの接続が切断された際に、ファクシミリ送信信号を送信してきている外付けＰＳＴＮファクシミリ２との接続が切断されないように、電子負荷切り換え装置２２が設けられており、モデム装置１０内で、外付けＰＳＴＮファクシミリ２と電話回線１ａとの見かけ上の接続を擬似的に保持している状態に設定している（ステップＳ５）。
【００４６】
ステップＳ４において、ネットワークＩ／Ｆ制御部１３において高速データ通信サービスによるデータ通信の切断処理が終了すると、回線切り換え制御部１６は、一般の電話通信サービスによる一般ファクシミリ通信を行なうために、通常使用されている高速データ通信サービスによるデータ通信から、一般の電話通信サービスの回線を使用して一般ファクシミリ送信を送信するように回線を切り換える（ステップＳ６）。次いで、外付けＰＳＴＮファクシミリ２から送信されて、メモリ部１９に保存されている発信情報を読み出し、該発信情報に基づいて、一般電話通信サービスによる接続即ち一般の電話通信サービス回線１１ａと電話回線１ａとの接続を行なう（ステップＳ７）。
【００４７】
通信相手先との接続がなされた状態になると、メモリ部１９に保存されているファクシミリ送信信号（ファクシミリ送信データ）を逐次読み出してファクシミリモデム部１８より変調して、一般の電話通信サービス回線１１ａ、スプリッタ部１１を介して電話回線１ａに送信し、一般の電話通信サービスによる一般ファクシミリ通信を開始する（ステップＳ８）。更に、電子負荷切り換え装置２２の外付けＰＳＴＮファクシミリ２との接続状態を切り換えて、外付けＰＳＴＮファクシミリ２と一般の電話通信サービス回線１１ａとを直接接続することにより（ステップＳ９）、外付けＰＳＴＮファクシミリ２は、スプリッタ部１１を介して電話回線１ａと直接接続され、以降、接続先との間で、外付けＰＳＴＮファクシミリ２からの一般の電話通信サービスによる一般ファクシミリ通信が開始される（ステップＳ１０）。
【００４８】
ここで、外付けＰＳＴＮファクシミリ２から送信するファクシミリ送信動作を、一般電話通信サービスに基づく一般ファクシミリ通信により行なうか、あるいは、高速データ通信サービス（ＩＰ通信サービス）に基づくＩＰファクシミリ通信により行なうかは、ユーザが操作ボタン（一般ファクシミリ送信ボタン）などを操作することにより予め指定することが可能であり、図３においては、ユーザが、一般電話通信サービスに基づく一般ファクシミリ通信によるファクシミリ送信を行なう指定をしている場合を示している。
【００４９】
また、図３のフローチャートに示すごとく、既存の外付けＰＳＴＮファクシミリ（アナログファクシミリ）２を接続することができる通信端末装置であるモデム装置１０内において、一般電話通信サービスと高速データ通信サービス（ＩＰ通信サービス）とを自動的に切り換えることが可能であり、たとえ、高速データ通信サービス（ＩＰ通信サービス）による高速データ通信中の状態であっても、外付けＰＳＴＮファクシミリ２からのファクシミリ送信要求が発生した場合、通信中の高速データ通信の切断を自動的に行なって、一般電話通信サービスに基づく一般ファクシミリ通信によるファクシミリ送信を行なうことが可能である。
【００５０】
次に、図１に示すモデム装置１０のファクシミリ送信データ（ファクシミリ送信信号）の送信時において、高速データ通信サービスによる高速データ通信から該高速データ通信サービスを適用したＩＰファクシミリ通信を行なう場合の通信情報符号化方式の切り換え動作について、図４に示すフローチャートに沿って説明する。
図４において、まず、外付けＰＳＴＮファクシミリ２よりファクシミリ通信開始の指示要求がなされた時点では（ステップＳ２１）、モデム装置１０においては、高速データ通信サービスによる高速データ通信が、スプリッタ部１１とＤＳＬモデム部１２とを介して、高速データ通信サービスを司るネットワーク制御部１３と呼制御部１４との制御により、行なわれている。
【００５１】
ここで、ファクシミリ通信開始の指示要求と同時に、外付けＰＳＴＮファクシミリ２からファクシミリ接続回線２ａを介して送出されてくるダイヤル番号やトーンなどの発信情報はトーン・ダイヤル検出部（発信情報検出部）２１により検出されて、メモリ部１９に一旦保存される（ステップＳ２２）。しかる後に、外付けＰＳＴＮファクシミリ２からファクシミリ接続回線２ａを介して引き続き送信されてくるファクシミリ送信信号（ファクシミリ送信データ）を検出するファクシミリ信号検出部２０において、ファクシミリ送信信号の有無が検出されて（ステップＳ２３）、ファクシミリ送信信号が検出された場合（ステップＳ２３のＹＥＳ）、一旦メモリ部１９に保存されると共に、回線切り換え制御部１６に通知される。
【００５２】
ここで、ファクシミリ信号検出部２０においてファクシミリ送信信号が検出されていない場合（ステップＳ２３のＮＯ）、回線切り換え制御部１６における回線の切り換え動作が起動されることなく、電子負荷切り換え装置２２により外付けＰＳＴＮファクシミリ２の電話回線１ａに対する接続を擬似的に保持した状態で、現在接続中の高速データ通信サービスによる高速データ通信の切断処理を行なった後、メモリ部１９に保存されている発信情報を読み出し、該発信情報に基づいて、呼制御部１４、ネットワーク制御部１３を通して、高速データ通信サービスによる再接続即ち高速データ通信サービス回線１１ｂと電話回線１ａとの接続を行ない、ＩＰ音声データによるＶｏＩＰ通信が開始される（ステップＳ３１）。
即ち、かかる場合は、外付けＰＳＴＮファクシミリ２が、ファクシミリ機能内蔵の外付けＰＳＴＮ電話機からなっており、かかる外付けＰＳＴＮ電話機からの音声電話通信を要求する発信動作がなされている場合に該当する。
【００５３】
一方、ファクシミリ信号検出部２０においてファクシミリ送信信号が検出された場合（ステップＳ２３のＹＥＳ）、該ファクシミリ送信信号が検出された旨の通知を受けた回線切り換え制御部１６において、現在接続中の高速データ通信サービスによる高速データ通信を一旦切断することを、呼制御部１４、ネットワークＩ／Ｆ制御部１３に指示し、呼制御部１４及びネットワークＩ／Ｆ制御部１３にて当該高速データ通信により接続中の状態にある電話回線１ａとの接続を切断する（ステップＳ２４）。
【００５４】
また、ステップＳ２４において電話回線１ａとの接続が切断された際に、ファクシミリ送信信号を送信してきている外付けＰＳＴＮファクシミリ２との接続が切断されないように、電子負荷切り換え装置２２が設けられており、モデム装置１０内で、外付けＰＳＴＮファクシミリ２と電話回線１ａとの見かけ上の接続を擬似的に保持している状態に設定している（ステップＳ２５）。
【００５５】
ステップＳ２４において、ネットワークＩ／Ｆ制御部１３において高速データ通信サービスによる高速データ通信の切断処理が終了すると、高速データ通信サービスを適用したＩＰファクシミリ通信を行なうために、通信情報符号化方式の切り換え制御を行う通信情報符号化方式切り換え部１５により、高圧縮率で再現性の低い通信情報符号化方式から低圧縮率で再現性の高い通信情報符号化方式に切り換える（ステップＳ２６）。次いで、外付けＰＳＴＮファクシミリ２から送信されて、メモリ部１９に保存されている発信情報を読み出し、該発信情報に基づいて、呼制御部１４、ネットワーク制御部１３を通して、高速データ通信サービスによる再接続即ち高速データ通信サービス回線１１ｂと電話回線１ａとの接続を行なう（ステップＳ２７）。
【００５６】
通信相手先との接続がなされた状態になると、メモリ部１９に保存されているファクシミリ送信信号（ファクシミリ送信データ）を逐次読み出して、通信情報符号化方式切り換え部１５により低圧縮の符号形式に変換した後、ネットワークＩ／Ｆ制御部１３を経由して、高速データ通信サービス回線１１ｂ、スプリッタ部１１を介して電話回線１ａに送信し、高速データ通信サービスによるＩＰファクシミリ通信を開始する（ステップＳ２８）。更に、電子負荷切り換え装置２２の外付けＰＳＴＮファクシミリ２と電話回線１ａとの擬似的接続状態を保持したまま、外付けＰＳＴＮファクシミリ２からのファクシミリ送信データをファクシミリ信号検出部２０を介して高速データ通信サービス側の通信情報符号化方式切り換え部１５に出力することにより、低圧縮率を用いた高速データ通信サービスによるＩＰファクシミリ通信を行なう状態とされ（ステップＳ２９）、以降、接続先との間で、外付けＰＳＴＮファクシミリ２からの高速データ通信サービスによるＩＰファクシミリ通信が開始される（ステップＳ３０）。
【００５７】
なお、ファクシミリ送信データの送信終了が検出された際には、次の高速データ通信サービスの通信に適用する通信情報符号化方式に設定を復旧させるために、通信情報符号化方式切り換え部１５が起動されて、低圧縮率で再現性の高い方式から、高圧縮率で再現性の低い方式へ自動的に切り換えられ、元の通常の状態に復旧する。
【００５８】
ここで、外付けＰＳＴＮファクシミリ２から送信するファクシミリ送信動作を、一般電話通信サービスに基づく一般ファクシミリ通信により行なうか、あるいは、高速データ通信サービス（ＩＰ通信サービス）に基づくＩＰファクシミリ通信により行なうかは、前述したように、ユーザが操作ボタン（ＩＰファクシミリ送信ボタン）などを操作することにより予め指定することが可能であり、図４においては、ユーザが、高速データ通信サービスに基づくＩＰファクシミリ通信によるファクシミリ送信を行なう指定をしている場合を示している。
【００５９】
また、ＩＰファクシミリ通信を行なう場合、送信相手先に対する接続要求情報（即ち、発信情報）に、ファクシミリ送信データの通信情報符号化方式として、通信情報符号化切り換え部１５により切り換えられる通信情報符号化方式例えば低圧縮率で再現性が高い符号化方式を用いて符号化されている旨を含めて通知することにより、送信相手先にてＩＰファクシミリ通信によるファクシミリ送信データを復号する際に適用すべき復号化方式を指示するようにしても良い。
【００６０】
更には、図４に示すフローチャートのごとく、特定比率の低圧縮率による符号化方式に固定することなく、送信相手先からの応答情報として送信相手先にてファクシミリデータを復号する際に用いられる通信情報符号化方式（復号化方式に対応する符号化方式、即ち、受信側で最適な通信情報符号化方式）を受け取ることにより、送信側で当該通信相手先に対するファクシミリ送信データの符号化に適用する通信情報符号化方式を選択して、通信情報符号化方式切り換え部１５にて切り換えることとしても良い。更には、過去に送信したことがある送信相手先である場合、該送信相手先にて過去に適用されていた復号化方式に対応する符号化方式を登録しておくことにより、登録されている符号化方式に通信情報符号化方式切り換え部１５にて切り換えることとしても良い。
【００６１】
ここで、既存の外付けＰＳＴＮファクシミリ（アナログファクシミリ）２を接続することができる通信端末装置であるモデム装置内においても、図４のフローチャートに示すごとく、一般電話通信サービスと高速データ通信サービス（ＩＰ通信サービス）とを自動的に切り換えることが可能であり、かつ、高速データ通信サービス（ＩＰ通信サービス）における通信情報符号化方式の切り換えも自動的に行なうことが可能である。
【００６２】
即ち、たとえ、高速データ通信サービス（ＩＰ通信サービス）による高速データ通信中の状態であっても、外付けＰＳＴＮファクシミリ２からのファクシミリ送信要求が発生し、高速データ通信サービスによるＩＰファクシミリ通信を行なう場合、通信中の高速データ通信の切断を自動的に行なうと共に、高速データ通信サービスにおける通信情報符号化方式の切り換えを自動的に行なって、例えば低圧縮率の符号化方式に切り換えて、ＩＰファクシミリ通信によるファクシミリ送信を行なうことが可能であり、ＩＰ通信用途向けのファクシミリ装置を使用することなく、汎用の外付けＰＳＴＮファクシミリ２を用いて信号不良の起きないファクシミリ通信環境又はＶｏＩＰ環境を構築することができる。
【００６３】
次に、図１に示すモデム装置１０のファクシミリ信号の着信時において、高速データ通信サービスによる高速データ通信中の状態から高速データ通信サービスによるＩＰファクシミリ受信を行なうために通信情報符号化方式を切り換える動作について、図５に示すフローチャートに沿って説明する。
図５において、まず、高速データ通信サービスのデータ受信中の状態にあったときに、電話回線１ａからの新たな着信が呼制御部１４にて検出された場合（ステップＳ４１のＹＥＳ）、該着信がファクシミリ着信であるか否かをファクシミリ受信信号の有無に基づいて確認する（ステップＳ４２）。
【００６４】
ファクシミリ受信信号がネットワークＩ／Ｆ制御部１３にて検出されない場合には（ステップＳ４２のＮｏ）、ＩＰ音声データにより着信であると判断して、呼制御部１４、ネットワークＩ／Ｆ制御部１３を通して、ＩＰ音声データによるＶｏＩＰ通信が開始される（ステップＳ４６）。
一方、ファクシミリ受信信号がネットワークＩ／Ｆ制御部１３にて検出された場合は（ステップＳ４２のＹＥＳ）、送信元の相手番号がメモリ部１９に既に登録されているか否かを判断し（ステップＳ４３）、登録されていない場合（ステップＳ４３のＮｏ）、メモリ部１９に、送信元の相手番号を、復号に用いる通信情報符号化方式と共に登録する（ステップＳ４４）。
【００６５】
ステップＳ４４にてメモリ部１９に着信先の相手番号を登録した後、又は、ファクシミリ受信時に送信元の相手番号がメモリ部１９に登録済みの場合（ステップＳ４３のＹＥＳ）、呼制御部１４から通信情報符号化方式切り換え部１５に対してファクシミリ着信呼に基づく通信情報符号化方式の切り換えを指示し、以降に受信するファクシミリ受信信号（ファクシミリ受信データ）の通信情報符号化方式を高圧縮率で再現性の低い方式から低圧縮率で再現性の高い方式へ切り換えて、受信したファクシミリ受信信号（ファクシミリ受信データ）を低圧縮率により復号化する受信処理を行なう（ステップＳ４５）。
【００６６】
なお、ファクシミリ受信データの受信終了が検出された際には、次の高速データ通信サービスの通信に適用する通信情報符号化方式に設定を復旧させるために、通信情報符号化方式切り換え部１５が起動されて、低圧縮率で再現性の高い方式から、高圧縮率で再現性の低い方式へ自動的に切り換えられ、元の通常の状態に復旧する。
【００６７】
ここで、図５においては、高速データ通信サービス（ＩＰ通信サービス）に基づくＩＰファクシミリ通信によるファクシミリの受信動作の一例を示したが、一般電話通信サービスに基づく一般ファクシミリ通信によるファクシミリ受信動作の場合についても、着信検出部１７の着信検出により、回線切り換え制御部１６から電子負荷切り換え装置２２が制御されて、電話回線１ａと外付けＰＳＴＮファクシミリ２とがスプリッタ部１１を介して直接接続される状態となり、従来のアナログＰＳＴＮファクシミリの受信動作と全く同様に、ファクシミリ受信動作が実行される。
【００６８】
また、ＩＰファクシミリ受信を行なう場合、送信元からの接続要求情報（即ち、発信情報）に、ファクシミリ送信データの通信情報符号化方式として、例えば低圧縮率の再現性が高い符号化方式を用いて符号化されている旨を示す情報を含めて通知されてくることにより、該接続要求情報を着信情報として受信するＩＰファクシミリ通信の受信側において、ＩＰファクシミリ通信によるファクシミリ受信データを復号する際に適用すべき復号化方式として該着信情報に含まれている符号化方式に対応する復号化方式を選択して、通信情報符号化方式切り換え部１５を切り換えるようにしても良い。
【００６９】
更には、図５に示すフローチャートのごとく、特定比率の低圧縮率による符号化方式に基づいて送信元からのファクシミリ受信データに対して復号を行なう場合に固定することなく、送信元からの接続要求情報（即ち、前記発信情報と同等の着信情報）に対する応答情報としてファクシミリ受信データを復号する際に用いられる通信情報符号化方式（復号化方式に対応する符号化方式、即ち、受信側で最適な通信情報符号化方式）を返送することにより、送信側で当該通信相手先に対するファクシミリ送信データの符号化に適用する通信情報符号化方式を切り換えさせることとしても良い。更には、過去に受信したことがある送信元である場合、該送信元からのファクシミリ受信データの復号に過去適用されていた復号化方式に対応する通信情報符号化方式（例えば、低圧縮率で再現性が高い符号化方式）を予め記憶して登録しておくことにより、登録されている復号化方式に対応する符号化方式に通信情報符号化方式切り換え部１５にて切り換えて復号することとしても良い。
【００７０】
ここで、既存の外付けＰＳＴＮファクシミリ（アナログファクシミリ）２を接続することができる通信端末装置であるモデム装置１０内において、ファクシミリ着信があった際に、一般電話通信サービスと高速データ通信サービス（ＩＰ通信サービス）とを自動的に切り換えることが可能であり、かつ、高速データ通信サービス（ＩＰ通信サービス）における通信情報符号化方式の切り換えも自動的に行なうことが可能であり、高速データ通信サービスによるＩＰファクシミリ通信の着信があった場合、図５のフローチャートに示すごとく、高速データ通信サービスにおける通信情報符号化方式をファクシミリ受信データの符号化方式に対応する方式例えば低圧縮率の符号化方式に切り換えて、ＩＰファクシミリ通信によるファクシミリ受信を行なうことが可能であり、ＩＰ通信用途向けのファクシミリ装置を使用することなく、汎用の外付けＰＳＴＮファクシミリ２を用いて信号不良の起きないファクシミリ通信環境又はＶｏＩＰ環境を構築することができる。
【００７１】
次に、図２に示すモデム装置１０′のファクシミリ送信データ（ファクシミリ送信信号）の送信時において、ファクシミリ送信キー３２の押下操作により自動的にファクシミリの送信を判断し、高速データ通信サービスによる高速データ通信から一般の電話通信サービスによる一般ファクシミリ通信に切り換える回線切り換え動作について、図６に示すフローチャートに沿って説明する。
図６において、ファクシミリ送信を行なう場合、ダイヤル情報等の発信情報の入力前に、まず、ファクシミリ送信キー３２を押下操作することにより（ステップＳ５１のＹＥＳ）、ＰＳＴＮファクシミリ送受信機能制御部３１に対して、前以てファクシミリ送信動作の指示を行なうことにより、回線切り換え制御部１６に対して回線切り換え命令を通知する（ステップＳ５２）。
【００７２】
かかる回線切り換え命令を受け取った回線切り換え制御部１６においては、呼制御部１４、ネットワークＩ／Ｆ制御部１３を制御することにより、現在接続中の高速データ通信サービスによる高速データ通信を一旦切断した後、一般の電話通信サービスの回線を使用してファクシミリ送信を行なうように、回線が切り換えられる（ステップＳ５３）。しかる後に、ＰＳＴＮファクシミリ送受信機能制御部３１は、一般の電話通信サービス回線１１ａを用いて、ダイヤル情報などからなる接続要求情報（即ち、発信情報）を電話回線１ａに送信して、送信相手先との接続を行なった後、一般電話通信サービスに基づいて、一般ファクシミリ通信によるファクシミリ送信を行なう（ステップＳ５４）。
【００７３】
一方、ファクシミリ送信キー３２の押下操作がなされていない場合には（ステップＳ５１のＮＯ）、ＰＳＴＮファクシミリ送受信機能制御部３１において、ファクシミリ送信の指示がなされている場合（ステップＳ５５のＹＥＳ）、現在接続中の高速データ通信サービス（ＩＰ通信サービス）の状態に基づくＩＰファクシミリ送信を行なう（ステップＳ５６）。即ち、通信情報符号化方式としては、低圧縮率の符号化方式に切り換えることなく、高圧縮率で再現性に乏しい符号化方式に基づくＩＰファクシミリ通信を行なうこととなる。一方、ファクシミリ送信の指示がなされていない場合には（ステップＳ５５のＮＯ）、ファクシミリ送信を行なうことなく、現在通信中の高速データ通信サービスに基づくＶｏＩＰ通信が継続される。
【００７４】
ここで、ファクシミリ送信動作を、一般電話通信サービスに基づく一般ファクシミリ通信により行なうか、あるいは、高速データ通信サービス（ＩＰ通信サービス）に基づくＩＰファクシミリ通信により行なうかは、前述した図３の場合と同様に、ユーザが操作ボタン（一般ファクシミリ送信ボタン）などを操作することにより予め指定することが可能であり、図６においては、ユーザが、一般電話通信サービスに基づく一般ファクシミリ通信によるファクシミリ送信を行なう指定をしている場合を示している。
【００７５】
また、ファクシミリ送信キー３２を備えたモデム装置１０′においては、図６のフローチャートに示すごとく、ファクシミリ送信を行なうダイヤル情報の入力などに先立って、ファクシミリ送信キー３２の押下操作により、前以てファクシミリ送信の準備を指示することにより、自動的に、高速データ通信サービスによる高速データ通信から一般の電話通信サービスによる一般ファクシミリ通信に切り換えて、従来通りのアナログ送信モードによりファクシミリ送信を行なわせることができ、汎用のファクシミリを用いて信号不良の起きないファクシミリ通信環境を構築することができる。
【００７６】
次に、図２に示すモデム装置１０′のファクシミリ送信データ（ファクシミリ送信信号）の送信時において、ファクシミリ送信キー３２の押下操作により自動的にファクシミリの送信を判断し、高速データ通信サービスによる高速データ通信から該高速データ通信サービスを適用したＩＰファクシミリ通信を行なう場合の通信情報符号化方式の切り換え動作について、図７に示すフローチャートに沿って説明する。
図７において、ファクシミリ送信を行なう場合、ダイヤル情報等の発信情報の入力前に、まず、ファクシミリ送信キー３２を押下操作することにより（ステップＳ６１のＹＥＳ）、ＰＳＴＮファクシミリ送受信機能制御部３１に対して、前以てファクシミリ送信動作の指示を行なうことにより、通信情報符号化方式の切り換え制御を行なう通信情報符号化方式切り換え部１５に対して通信情報符号化方式切り換え命令を通知する（ステップＳ６２）。
【００７７】
かかる通信情報符号化方式切り換え命令を受け取った通信情報符号化方式切り換え部１５においては、呼制御部１４、ネットワークＩ／Ｆ制御部１３を制御することにより、現在接続中の高速データ通信サービスによる高速データ通信を一旦切断した後、通常使用されている高圧縮率で再現性の低い方式から低圧縮率で再現性の高い通信情報符号化方式に切り換える（ステップＳ６３）。しかる後に、ＰＳＴＮファクシミリ送受信機能制御部３１は、高速データ通信サービス回線１１ｂを用いて、ダイヤル情報などからなる接続要求情報（即ち、発信情報）を電話回線１ａに送信して、送信相手先との接続を行なった後、低圧縮率で再現性の高い通信情報符号化方式による高速データ通信サービスを用いて、ＩＰファクシミリ通信によるファクシミリ送信を行なう（ステップＳ６４）。
【００７８】
一方、ファクシミリ送信キー３２の押下操作がなされていない場合には（ステップＳ６１のＮＯ）、ＰＳＴＮファクシミリ送受信機能制御部３１において、ファクシミリ送信の指示がなされている場合（ステップＳ６５のＹＥＳ）、現在接続中の高速データ通信サービス（ＩＰ通信サービス）の状態に基づくＩＰファクシミリ送信を行なう（ステップＳ６６）。即ち、通信情報符号化方式としては、低圧縮率の符号化方式に切り換えることなく、高圧縮率で再現性に乏しい符号化方式に基づくＩＰファクシミリ通信を行なうこととなる。一方、ファクシミリ送信の指示がなされていない場合には（ステップＳ６５のＮＯ）、ファクシミリ送信を行なうことなく、現在通信中の高速データ通信サービスに基づくＶｏＩＰ通信が継続される。
【００７９】
ここで、ファクシミリ送信動作を、一般電話通信サービスに基づく一般ファクシミリ通信により行なうか、あるいは、高速データ通信サービス（ＩＰ通信サービス）に基づくＩＰファクシミリ通信により行なうかは、前述した図４の場合と同様に、ユーザが操作ボタン（ＩＰファクシミリ送信ボタン）などを操作することにより予め指定することが可能であり、図７においては、ユーザが、高速データ通信サービスに基づくＩＰファクシミリ通信によるファクシミリ送信を行なう指定をしている場合を示している。
【００８０】
また、ＩＰファクシミリ通信を行なう場合、送信相手先に対する接続要求情報に、ファクシミリ送信データの通信情報符号化方式として、通信情報符号化切り換え部１５により切り換えられる通信情報符号化方式例えば低圧縮率で再現性が高い符号化方式を用いて符号化されている旨を含めて通知することにより、送信相手先にてＩＰファクシミリ通信によるファクシミリ送信データを復号する際に適用すべき復号化方式を指示するようにしても良い。
【００８１】
更には、ファクシミリ送信キー３２の押下操作がなされた場合に、図７のフローチャートに示すごとく、特定比率の低圧縮率による符号化方式に固定することなく、送信相手先からの応答情報として送信相手先にてファクシミリデータを復号する際に用いられる復号化方式に対応する通信情報符号化方式を受け取ることにより、送信側でファクシミリ送信データの符号化に適用する通信情報符号化方式を選択して、通信情報符号化方式切り換え部１５にて切り換えることとしても良い。更には、過去に送信したことがある送信相手先である場合、該送信相手先にて過去に適用されていた復号化方式に対応する通信情報符号化方式を登録しておくことにより、登録されている符号化方式に通信情報符号化方式切り換え部１５にて切り換えることとしても良い。
【００８２】
また、ファクシミリ送信キー３２を備えたモデム装置１０′においては、図７のフローチャートに示すごとく、ファクシミリ送信を行なうダイヤル情報の入力などに先立って、ファクシミリ送信キー３２の押下操作により、前以てファクシミリ送信の準備を指示することにより、自動的に、最適な符号化方式例えば圧縮率が低く再現性が高い通信情報符号化方式に切り換えて、最適な送信モードによりＩＰファクシミリ通信を用いたファクシミリ送信を行なわせることができ、汎用のファクシミリを用いても信号不良の起きないファクシミリ通信環境を構築することができる。
【００８３】
次に、図２に示すモデム装置１０′のファクシミリ送信データ（ファクシミリ送信信号）の送信時において、ファクシミリ送信トレイセンサ部３３の出力により自動的にファクシミリの送信を判断し、高速データ通信サービスによる高速データ通信から一般の電話通信サービスによる一般ファクシミリ通信に切り換える回線切り換え動作について、図８に示すフローチャートに沿って説明する。ここに、ファクシミリ送信トレイセンサ部３３は、前述のごとく、図示していないファクシミリ装置のファクシミリ送信トレイに送信すべきファクシミリ送信用紙が載置されているか否かを判断する用紙検出手段を提供するものであり、ファクシミリ送信用紙が載置されていることを検知した場合、本モデム装置１０′に対してファクシミリ送信を開始することを指示する。
【００８４】
図８において、ファクシミリ送信を行なう場合、ダイヤル情報等の発信情報の入力前に、まず、ファクシミリ送信トレイセンサ部３３により、ファクシミリ送信トレイに載置されているファクシミリ送信用紙の有無を判断する（ステップＳ７１）。ファクシミリ送信トレイにファクシミリ送信用紙が載置されていることが検出された場合（ステップＳ７１のＹＥＳ）、ＰＳＴＮファクシミリ送受信機能制御部３１は、前以てファクシミリ送信動作の指示が行なわれていることを把握し、回線切り換え制御部１６に対して回線切り換え命令を通知する（ステップＳ７２）。
【００８５】
かかる回線切り換え命令を受け取った回線切り換え制御部１６においては、呼制御部１４及びネットワークＩ／Ｆ制御部１３を制御することにより、現在接続中の高速データ通信サービスによる高速データ通信を一旦切断した後、一般の電話通信サービスの回線を使用してファクシミリ送信を行なうように、回線が切り換えられる（ステップＳ７３）。しかる後に、ＰＳＴＮファクシミリ送受信機能制御部３１は、一般の電話通信サービス回線１１ａを用いて、ダイヤル情報などからなる接続要求情報（即ち、発信情報）を電話回線１ａに送信して、送信相手先との接続を行なった後、一般電話通信サービスに基づく一般ファクシミリ通信によるファクシミリ送信を行なう（ステップＳ７４）。
【００８６】
一方、ファクシミリ送信トレイにファクシミリ送信用紙が載置されていることが検出されなかった場合には（ステップＳ７１のＮＯ）、ＰＳＴＮファクシミリ送受信機能制御部３１において、ファクシミリ送信の指示がなされている場合（ステップＳ７５のＹＥＳ）、現在接続中の高速データ通信サービス（ＩＰ通信サービス）の状態に基づくＩＰファクシミリ送信を行なう（ステップＳ７６）。即ち、通信情報符号化方式としては、低圧縮率の符号化方式に切り換えることなく、高圧縮率で再現性に乏しい符号化方式に基づくＩＰファクシミリ通信を行なうこととなる。一方、ファクシミリ送信の指示がなされていない場合は（ステップＳ７５のＮＯ）、ファクシミリ送信を行なうことなく、現在通信中の高速データ通信サービスに基づくＶｏＩＰ通信が継続される。
【００８７】
ここで、ファクシミリ送信動作を、一般電話通信サービスに基づく一般ファクシミリ通信により行なうか、あるいは、高速データ通信サービス（ＩＰ通信サービス）に基づくＩＰファクシミリ通信により行なうかは、前述した図３の場合と同様に、ユーザが操作ボタン（一般ファクシミリ送信ボタン）などを操作することにより予め指定することが可能であり、図８においては、ユーザが、一般電話通信サービスに基づく一般ファクシミリ通信によるファクシミリ送信を行なう指定をしている場合を示している。
【００８８】
また、ファクシミリ送信トレイセンサ部３３を備えたモデム装置１０′においては、図８のフローチャートに示すごとく、ファクシミリ送信を行なうダイヤル情報の入力などに先立って、ファクシミリ送信トレイセンサ部３３の出力により、ファクシミリ送信トレイへのファクシミリ送信用紙の載置の有無を検出することが可能となり、前以てファクシミリ送信の準備を指示することにより、自動的に、高速データ通信サービスによる高速データ通信から一般の電話通信サービスによる一般ファクシミリ通信に切り換えて、従来通りのアナログ送信モードによりファクシミリ送信を行なわせることができ、汎用のファクシミリを用いて信号不良の起きないファクシミリ通信環境を構築することができる。
【００８９】
次に、図２に示すモデム装置１０′のファクシミリ送信データ（ファクシミリ送信信号）の送信時において、ファクシミリ送信トレイセンサ部３３の出力により自動的にファクシミリの送信を判断し、高速データ通信サービスによる高速データ通信から該高速データ通信サービスを適用したＩＰファクシミリ通信を行なう場合の通信情報符号化方式の切り換え動作について、図９に示すフローチャートに沿って説明する。
【００９０】
図９において、ファクシミリ送信を行なう場合、ダイヤル情報等の発信情報の入力前に、まず、ファクシミリ送信トレイセンサ部３３により、ファクシミリ送信トレイに載置されているファクシミリ送信用紙の有無を判断する（ステップＳ８１）。ファクシミリ送信トレイにファクシミリ送信用紙が載置されていることが検出された場合（ステップＳ８１のＹＥＳ）、ＰＳＴＮファクシミリ送受信機能制御部３１は、前以てファクシミリ送信動作の指示が行なわれていることを把握し、通信情報符号化方式の切り換え制御を行なう通信情報符号化方式切り換え部１５に対して通信情報符号化方式切り換え命令を通知する（ステップＳ８２）。
【００９１】
かかる通信情報符号化方式切り換え命令を受け取った通信情報符号化方式切り換え部１５においては、呼制御部１４及びネットワークＩ／Ｆ制御部１３を制御することにより、現在接続中の高速データ通信サービスによる高速データ通信を一旦切断した後、通常使用されている高圧縮率で再現性の低い方式から低圧縮率で再現性の高い通信情報符号化方式に切り換える（ステップＳ８３）。しかる後に、ＰＳＴＮファクシミリ送受信機能制御部３１は、高速データ通信サービス回線１１ｂを用いて、ダイヤル情報などからなる接続要求情報（即ち、発信情報）を電話回線１ａに送信して、送信相手先との接続を行なった後、低圧縮率で再現性の高い通信情報符号化方式による高速データ通信サービスを用いて、ＩＰファクシミリ通信によるファクシミリ送信を行なう（ステップＳ８４）。
【００９２】
一方、ファクシミリ送信トレイにファクシミリ送信用紙が載置されていることが検出されなかった場合には（ステップＳ８１のＮＯ）、ＰＳＴＮファクシミリ送受信機能制御部３１において、ファクシミリ送信の指示がなされている場合（ステップＳ８５のＹＥＳ）、現在接続中の高速データ通信サービス（ＩＰ通信サービス）の状態に基づくＩＰファクシミリ送信を行なう（ステップＳ８６）。即ち、通信情報符号化方式としては、低圧縮率の符号化方式に切り換えることなく、高圧縮率で再現性に乏しい符号化方式に基づくＩＰファクシミリ通信を行なうこととなる。一方、ファクシミリ送信の指示がなされていない場合には（ステップＳ８５のＮＯ）、ファクシミリ送信を行なうことなく、現在通信中の高速データ通信サービスに基づくＶｏＩＰ通信が継続される。
【００９３】
ここで、ファクシミリ送信動作を、一般電話通信サービスに基づく一般ファクシミリ通信により行なうか、あるいは、高速データ通信サービス（ＩＰ通信サービス）に基づくＩＰファクシミリ通信により行なうかは、前述した図４の場合と同様に、ユーザが操作ボタン（ＩＰファクシミリ送信ボタン）などを操作することにより予め指定することが可能であり、図９においては、ユーザが、高速データ通信サービスに基づくＩＰファクシミリ通信によるファクシミリ送信を行なう指定をしている場合を示している。
【００９４】
また、ＩＰファクシミリ通信を行なう場合、送信相手先に対する接続要求情報に、ファクシミリ送信データの通信情報符号化方式として、通信情報符号化切り換え部１５により切り換えられる通信情報符号化方式例えば低圧縮率で再現性が高い符号化方式を用いて符号化されている旨を含めて通知することにより、送信相手先にてＩＰファクシミリ通信によるファクシミリ送信データを復号する際に適用すべき復号化方式を指示するようにしても良い。
【００９５】
更には、ファクシミリ送信トレイにファクシミリ送信用紙が載置されていることが検出された場合に、図９のフローチャートに示すごとく、特定比率の低圧縮率による符号化方式に固定することなく、送信相手先からの応答信号として送信相手先にてファクシミリデータを復号する際に用いられる復号化方式に対応する通信情報符号化方式を受け取ることにより、送信側でファクシミリ送信データの符号化に適用する通信情報符号化方式を選択して、通信情報符号化方式切り換え部１５にて切り換えることとしても良い。更には、過去に送信したことがある送信相手先である場合、該送信相手先にて過去に適用されていた復号化方式に対応する符号化方式を登録しておくことにより、登録されている符号化方式に通信情報符号化方式切り換え部１５にて切り換えることとしても良い。
【００９６】
また、ファクシミリ送信トレイセンサ部３３を備えたモデム装置１０′においては、図９のフローチャートに示すごとく、ファクシミリ送信を行なうダイヤル情報の入力などに先立って、ファクシミリ送信トレイセンサ部３３の出力により、ファクシミリ送信トレイへのファクシミリ送信用紙の載置の有無を検出することが可能となり、前以てファクシミリ送信の準備を指示することにより、自動的に、最適な符号化方式例えば圧縮率が低く再現性が高い通信情報符号化方式に切り換えて、最適な送信モードによりＩＰファクシミリ通信を用いたファクシミリ送信を行なわせることができ、汎用のファクシミリを用いても信号不良の起きないファクシミリ通信環境を構築することができる。
【００９７】
【発明の効果】
以上に説明したように、本発明に係るモデム装置によれば、以下のごとき効果が齎される。
高速データ通信サービスにおいて、一般ファクシミリによる通信時には通信端末装置側にファクシミリ終端部を持つことが必要になる。あるいは、ＩＰ通信のようにファクシミリ終端部を持たない場合、Ｔ．３８規格に従う必要があるという問題を有している。かかる事情に鑑みて、本発明に係るモデム装置としては、一般ファクシミリ通信とＩＰファクシミリ通信との双方に対応可能とすると共に、ファクシミリ通信時の信号不良の発生を防止可能なＤＳＬ機能内蔵のモデム装置を提供している。
【００９８】
即ち、本発明においては、ＤＳＬ機能内臓のモデム装置内に、ファクシミリ通信を行なうに当たって、通信サービス形態としての一般電話通信サービスによる一般ファクシミリ通信と高速データ通信サービス（即ち、ＩＰ通信サービス）によるＩＰファクシミリ通信との切り換えや、更に、高速データ通信サービス（ＩＰ通信サービス）においては、低圧縮率と高圧縮率との通信情報符号化方式の切り換えを行なう手段を備えることにより、ファクシミリ通信の要求があった際に、高速データ通信サービスによるデータ通信中であっても、一般ファクシミリ通信に切り換えたり、ファクシミリ通信に適する低圧縮率の高速データ通信サービスに切り換えたりすることを可能とし、もって、ＩＰ通信用途向けの専用ＩＰファクシミリ装置を使用することなく、従来の汎用ファクシミリを用いても、信号不良が生起することがないファクシミリ通信環境及びＩＰ音声呼のＶｏＩＰ環境を構築することができる。
【００９９】
また、ファクシミリ送受信機能を備えたＤＳＬ機能内蔵のモデム装置を構成する場合に、ファクシミリ送信を行なうダイヤル情報などの発信情報の入力に先立って、ファクシミリ送信キーの押下操作により、前以てファクシミリ送信の準備を指示したり、あるいは、ファクシミリ送信トレイへのファクシミリ送信用紙の載置の有無を自動的に検出することができるセンサが付加されたファクシミリ送信トレイを備えて、ファクシミリ送信用紙の載置の有無を検出することにより、前以てファクシミリ送信の準備を指示したりすることにより、自動的に、一般電話通信サービスと高速データサービスの切り換えや、通信情報符号化方式の切り換えを行なうことができ、信号不良が生起することがないファクシミリ通信環境及びＩＰ音声呼のＶｏＩＰ環境を構築することができる。
【図面の簡単な説明】
【図１】本発明に係るモデム装置の実施形態の一例を示すブロック構成図である。
【図２】本発明に係るモデム装置の実施形態の他の一例を示すブロック構成図である。
【図３】図１に示すモデム装置のファクシミリ信号の送信時において、電話サービス回線に回線切り換え動作について説明するためのフローチャートである。
【図４】図１に示すモデム装置のファクシミリ信号の送信時において、高速データ通信サービスでファクシミリ通信を行なう場合の通信情報符号化方式の切り換え動作について説明するためのフローチャートである。
【図５】図１に示すモデム装置のファクシミリ信号の着信時において、高速データ通信サービスでファクシミリ通信を行なう場合の通信情報符号化方式の切り換え動作について説明するためのフローチャートである。
【図６】図２に示すモデム装置のファクシミリ信号の送信時において、一般電話通信サービスと高速データ通信サービスとの回線切り換え動作について説明するためのフローチャートである。
【図７】図２に示すモデム装置のファクシミリ信号の送信時において、高速データ通信サービスでファクシミリ通信を行なう場合の通信情報符号化方式の切り換え動作について説明するためのフローチャートである。
【図８】図２に示すモデム装置のファクシミリ信号の送信時において、ファクシミリ送信トレイセンサ部の出力により自動的にファクシミリの送信を判断し、一般電話通信サービスと高速データ通信サービスとの回線切り換え動作を行なう場合について説明するためのフローチャートである。
【図９】図２に示すモデム装置のファクシミリ信号の送信時において、ファクシミリ送信トレイセンサ部の出力により自動的にファクシミリの送信を判断し、高速データ通信サービスでファクシミリ通信を行なう場合の通信情報符号化方式の切り換え動作について説明するためのフローチャートである。
【符号の説明】
１…公衆電話網ＰＳＴＮ、１ａ…電話回線、２…外付けＰＳＴＮファクシミリ、２ａ…ファクシミリ接続回線、１０，１０′…モデム装置、１１…スプリッタ部、１１ａ…電話通信サービス回線、１１ｂ…高速データ通信サービス回線、１２…ＤＳＬモデム部、１３…ネットワークＩ／Ｆ制御部、１４…呼制御部、１５…通信情報符号化方式切り換え部、１６…回線切り換え制御部、１７…着信検出部、１８…ファクシミリモデム部、１９…メモリ部、２０…ファクシミリ信号検出部、２１…トーン・ダイヤル検出部（発信情報検出部）、２２…電子負荷切り換え装置、２３…接続部、３１…ＰＳＴＮファクシミリ送受信機能制御部、３２…ファクシミリ送信キー、３３…ファクシミリ送信トレイセンサ部（用紙検出手段）。
【図１】
2004135031.tif 000003
【図２】
2004135031.tif 000004
【図３】
2004135031.tif 000005
【図４】
2004135031.tif 000006
【図５】
2004135031.tif 000007
【図６】
2004135031.tif 000008
【図７】
2004135031.tif 000009
【図８】
2004135031.tif 000010
【図９】
2004135031.tif 000011